(57)【要約】      （修正有）【課題】複数のチャネル品質情報（ＣＱＩ）値を構成するための、無線ノードにより実行される方法を提供する。【解決手段】ワイヤレス通信ネットワークにおいて動作する無線ノードは、複数のＣＱＩ値を構成する（３０１）。複数のＣＱＩ値の各々は、データ送信の反復回数についての第１の標識に関連付けて構成される（３０２）。また、ワイヤレスデバイスは、無線ノードから構成データを受信する。構成データは、複数のＣＱＩ値についての構成を指し示される（３０４）。【選択図】図３
2019080319.tif 000002
【特許請求の範囲】
【請求項１】
複数のチャネル品質情報（ＣＱＩ）値を構成するための、無線ノード（１０１）により実行される方法であって、前記無線ノード（１０１）は、ワイヤレス通信ネットワーク（１００）において動作し、前記方法は、
前記複数のＣＱＩ値を構成すること（３０１）と、前記複数のＣＱＩ値の各々はデータ送信の反復回数についての第１の標識に関連付けて構成されることと、
を含む方法。
【請求項２】
前記構成（３０１）は、前記ワイヤレス通信ネットワーク（１００）において動作するワイヤレスデバイス（１２０）の構成であり、前記方法は、
カバレッジに関連する前記ワイヤレスデバイス（１２０）の動作条件についての第２の標識を前記ワイヤレスデバイス（１２０）から受信すること（３０２）と、
前記ワイヤレスデバイス（１２０）からの受信される前記第２の標識に従って、構成さ
れる前記複数のＣＱＩ値を適応させること（３０３）と、
をさらに含む、請求項１の方法。
【請求項３】
前記動作条件は、通常カバレッジ及び拡張カバレッジのうちの一方に関連する、請求項２の方法。
【請求項４】
前記方法は、
適応後の前記複数のＣＱＩ値を前記ワイヤレスデバイス（１２０）へ指し示すこと（３０４）、
をさらに含む、請求項２のいずれかの方法。
【請求項５】
前記動作条件は、チャネル品質値に関連し、前記複数のＣＱＩ値は、ＣＱＩ値の複数のセットを含み、前記指し示すこと（３０４）は、ＣＱＩ値の前記複数のセットのうちの１つのセットを使用するように前記ワイヤレスデバイス（１２０）を構成することを含み、ＣＱＩ値の前記複数のセットのうちの前記１つのセットは、前記チャネル品質値に基づいて選択されている、請求項４の方法。
【請求項６】
データ送信の前記反復回数についての前記第１の標識は、データ送信の反復回数のセットを提供する、請求項１〜５のいずれかの方法。
【請求項７】
構成される前記複数のＣＱＩ値のうちの値に従って前記ワイヤレスデバイス（１２０）から受信されるＣＱＩ値は、１つ以上のダウンリンク又はスペシャルサブフレームにより定義される時間ドメイン内のチャネル状態情報（ＣＳＩ）リファレンスリソースに基づく、請求項１〜６のいずれかの方法。
【請求項８】
前記ＣＳＩリファレンスリソースは、ｎｒｅｐ個のダウンリンク又はスペシャルサブフレームのセットによりさらに定義され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する前記反復回数である、請求項７の方法。
【請求項９】
少なくとも１つのプロセッサ上で実行された場合に、請求項１から８のいずれか１項に記載の前記方法を前記少なくとも１つのプロセッサに遂行させる命令、を含むコンピュータプログラム。
【請求項１０】
少なくとも１つのプロセッサ上で実行された場合に、請求項１から８のいずれか１項に記載の前記方法を前記少なくとも１つのプロセッサに遂行させる命令、を含むコンピュータプログラムが記憶されたコンピュータ読取可能な記憶媒体。
【請求項１１】
無線ノード（１０１）から構成データを受信するための、ワイヤレスデバイス（１２０）により実行される方法であって、前記無線ノード（１０１）及び前記ワイヤレスデバイス（１２０）は、ワイヤレス通信ネットワーク（１００）において動作し、前記方法は、
前記無線ノード（１０１）から前記構成データを受信すること（４０１）と、前記構成データは、複数のチャネル品質情報（ＣＱＩ）値についての構成を指し示し、前記複数のＣＱＩ値のうちの各ＣＱＩ値は、データ送信の反復回数についての第１の標識に関連付けられることと、
を含む、方法。
【請求項１２】
前記方法は、
カバレッジに関連する前記ワイヤレスデバイス（１２０）の動作条件についての第２の標識を前記無線ノード（１０１）へ送信すること（４０２）と、
適応後の複数のＣＱＩ値の第３の標識を前記無線ノード（１０１）から受信すること（４０３）と、適応後の前記複数のＣＱＩ値は、前記ワイヤレスデバイス（１２０）の前記動作条件に従って適応される前記複数のＣＱＩ値であることと、
をさらに含む、請求項１１の方法。
【請求項１３】
前記動作条件は、通常カバレッジ及び拡張カバレッジのうちの一方に関連する、請求項１２の方法。
【請求項１４】
前記動作条件は、チャネル品質値に関連し、前記複数のＣＱＩ値は、ＣＱＩ値の複数のセットを含み、前記無線ノード（１０１）からの前記第３の標識は、ＣＱＩ値の前記複数のセットのうちの１つのセットを使用するように指し示し、ＣＱＩ値の前記複数のセットのうちの前記１つのセットは、前記チャネル品質値に基づいて選択されている、請求項１２〜１３のいずれかの方法。
【請求項１５】
データ送信の前記反復回数についての前記第１の標識は、データ送信の反復回数のセットを提供する、請求項１１〜１４のいずれかの方法。
【請求項１６】
前記ワイヤレスデバイス（１２０）は、構成される前記複数のＣＱＩ値のうちの値に従ってＣＱＩ値を前記無線ノード（１０１）へ送信し、前記送信されるＣＱＩ値は、１つ以上のダウンリンク又はスペシャルサブフレームにより定義される時間ドメイン内のチャネル状態情報（ＣＳＩ）リファレンスリソースに基づく、請求項１１〜１５のいずれかの方法。
【請求項１７】
前記ＣＳＩリファレンスは、ｎｒｅｐ個のダウンリンク又はスペシャルサブフレームのセットによりさらに定義され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する前記反復回数である、請求項１６の方法。
【請求項１８】
少なくとも１つのプロセッサ上で実行された場合に、請求項１１から１７のいずれか１項に記載の前記方法を前記少なくとも１つのプロセッサに遂行させる命令、を含むコンピュータプログラム。
【請求項１９】
少なくとも１つのプロセッサ上で実行された場合に、請求項１１から１７のいずれか１項に記載の前記方法を前記少なくとも１つのプロセッサに遂行させる命令、を含むコンピュータプログラムが記憶されたコンピュータ読取可能な記憶媒体。
【請求項２０】
複数のチャネル品質情報（ＣＱＩ）値を構成するように構成される無線ノード（１０１）であって、前記無線ノード（１０１）は、ワイヤレス通信ネットワーク（１００）において動作するように構成され、前記無線ノード（１０１）は、
前記複数のＣＱＩ値を構成する、ようにさらに構成され、前記複数のＣＱＩ値の各々はデータ送信の反復回数についての第１の標識に関連付けて構成される、
無線ノード（１０１）。
【請求項２１】
前記無線ノード（１０１）は、前記ワイヤレス通信ネットワーク（１００）において動作するように構成されるワイヤレスデバイス（１２０）を構成するように構成され、前記無線ノード（１０１）は、
カバレッジに関連する前記ワイヤレスデバイス（１２０）の動作条件についての第２の標識を前記ワイヤレスデバイス（１２０）から受信し、
前記ワイヤレスデバイス（１２０）からの受信される前記第２の標識に従って、構成される前記複数のＣＱＩ値を適応させる、
ようにさらに構成される、請求項２０の無線ノード（１０１）。
【請求項２２】
前記動作条件は、通常カバレッジ及び拡張カバレッジのうちの一方に関連する、請求項２１の無線ノード（１０１）。
【請求項２３】
前記無線ノード（１０１）は、
適応後の前記複数のＣＱＩ値を前記ワイヤレスデバイス（１２０）へ指し示す、
ようにさらに構成される、請求項２１のいずれかの無線ノード（１０１）。
【請求項２４】
前記動作条件は、チャネル品質値に関連し、前記複数のＣＱＩ値は、ＣＱＩ値の複数のセットを含み、指し示すことは、ＣＱＩ値の前記複数のセットのうちの１つのセットを使用するように前記ワイヤレスデバイス（１２０）を構成することを含み、ＣＱＩ値の前記複数のセットのうちの前記１つのセットは、前記チャネル品質値に基づいて選択されているように構成される、請求項２１〜２３のいずれかの無線ノード（１０１）。
【請求項２５】
データ送信の前記反復回数についての前記第１の標識は、データ送信の反復回数のセットを提供する、請求項２０〜２４のいずれかの無線ノード（１０１）。
【請求項２６】
構成される前記複数のＣＱＩ値のうちの値に従って前記ワイヤレスデバイス（１２０）から受信されるＣＱＩは、１つ以上のダウンリンク又はスペシャルサブフレームにより定義されるように構成される時間ドメイン内のチャネル状態情報（ＣＳＩ）リファレンスリソースに基づく、請求項２０〜２５のいずれかの無線ノード（１０１）。
【請求項２７】
前記ＣＳＩリファレンスリソースは、ｎｒｅｐ個のダウンリンク又はスペシャルサブフレームのセットにより定義されるようにさらに構成され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する前記反復回数である、請求項２６の無線ノード（１０１）。
【請求項２８】
無線ノード（１０１）から構成データを受信するように構成されるワイヤレスデバイス（１２０）であって、前記無線ノード（１０１）及び前記ワイヤレスデバイス（１２０）は、ワイヤレス通信ネットワーク（１００）において動作するように構成され、前記ワイヤレスデバイス（１２０）は、
前記無線ノード（１０１）から前記構成データを受信する、ようにさらに構成され、前記構成データは、複数のチャネル品質情報（ＣＱＩ）値についての構成を指し示すように構成され、前記複数のＣＱＩ値のうちの各ＣＱＩ値は、データ送信の反復回数についての第１の標識に関連付けられる、
ワイヤレスデバイス（１２０）。
【請求項２９】
前記ワイヤレスデバイス（１２０）は、
カバレッジに関連する前記ワイヤレスデバイス（１２０）の動作条件についての第２の標識を前記無線ノード（１０１）へ送信し、
適応後の複数のＣＱＩ値の第３の標識を前記無線ノード（１０１）から受信する、
ようにさらに構成され、適応後の前記複数のＣＱＩ値は、前記ワイヤレスデバイス（１２０）の前記動作条件に従って適応される前記複数のＣＱＩ値である、
請求項２８のワイヤレスデバイス（１２０）。
【請求項３０】
前記動作条件は、通常カバレッジ及び拡張カバレッジのうちの一方に関連する、請求項２９のワイヤレスデバイス（１２０）。
【請求項３１】
前記動作条件は、チャネル品質値に関連し、前記複数のＣＱＩ値は、ＣＱＩ値の複数のセットを含み、前記無線ノード（１０１）からの前記第３の標識は、ＣＱＩ値の前記複数のセットのうちの１つのセットを使用するように指し示し、ＣＱＩ値の前記複数のセットのうちの前記１つのセットは、前記チャネル品質値に基づいて選択されている、請求項２９〜３０のいずれかのワイヤレスデバイス。
【請求項３２】
データ送信の前記反復回数についての前記第１の標識は、データ送信の反復回数のセットを提供するように構成される、請求項２８〜３１のいずれかのワイヤレスデバイス（１２０）。
【請求項３３】
前記ワイヤレスデバイス（１２０）は、構成される前記複数のＣＱＩ値のうちの値に従ってＣＱＩ値を前記無線ノード（１０１）へ送信するようにさらに構成され、送信されるように構成される前記ＣＱＩ値は、１つ以上のダウンリンク又はスペシャルサブフレームにより定義されるように構成される時間ドメイン内のチャネル状態情報（ＣＳＩ）リファレンスリソースに基づく、請求項２８〜３２のいずれかのワイヤレスデバイス（１２０）。
【請求項３４】
前記ＣＳＩリファレンスは、ｎｒｅｐ個のダウンリンク又はスペシャルサブフレームのセットにより定義されるようにさらに構成され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する前記反復回数である、請求項３３のワイヤレスデバイス（１２０）。
【発明の詳細な説明】
【技術分野】
【０００１】
本開示は、概して、複数のチャネル品質情報（ＣＱＩ）値を構成するための、無線ノード及びそこでの方法に関連する。その構成は、例えばワイヤレスデバイスの構成であってよい。また、本開示は、無線ノードから構成データを受信するための、ワイヤレスデバイス及びそこでの方法に関連する。本開示は、コンピュータプログラム、及び、上述した方法を遂行するためのコンピュータプログラムが記憶されたコンピュータ読取可能な記憶媒体にも関連する。
【背景技術】
【０００２】
ワイヤレスデバイスといった通信デバイスは、例えばユーザ機器（ＵＥ）、モバイル端末、端末、ワイヤレス端末、及び／又は移動局としても知られている。端末は、セルラー無線システム又はセルラーネットワークとして言及されることもある、セルラー通信ネットワーク又はワイヤレス通信システムにおいて、ワイヤレスに通信することを可能とされ得る。通信は、例えば、２つの端末の間、端末と通常の電話との間、及び／又は、端末と、無線アクセスネットワーク（ＲＡＮ）及び恐らくはセルラー通信ネットワーク内に含まれる１つ以上のコアネットワークを介してサーバとの間で行われ得る。
【０００３】
ワイヤレスデバイスはさらに、いくつかのさらなる例を少し述べると、ワイヤレスケイパビリティを有する携帯電話、セルラー電話、ラップトップ又はタブレットとして言及されることがある。本文脈における端末は、例えば、ＲＡＮを介して、別の端末又はサーバなどの別のエンティティと音声及び／又はデータを通信することを可能とされる、ポータブル、ポケット格納可能、ハンドヘルド、コンピュータ搭載型、車載型モバイルデバイスであってよい。
【０００４】
セルラー通信ネットワークは、セルエリアに分割され得る地理的エリアをカバーし、各セルエリアは、基地局、例えば、使用される技術及び用語に応じて、例えば「拡張ノードＢ（ｅＮｏｄｅＢ若しくはｅＮＢ）、「ＮｏｄｅＢ」、「Ｂノード」、又はＢＴＳ（基地送受信局）として言及されることも時々ある、無線基地局（ＲＢＳ）といったアクセスノードによってサービスされることがある。基地局は、送信電力と、したがってセルサイズとにも基づいて、例えばマクロｅＮｏｄｅＢ、ホームｅＮｏｄｅＢ又はピコ基地局といった、様々なクラスの基地局であってよい。セルは、基地局サイトにおいて基地局により無線カバレッジが提供される地理的エリアである。基地局サイト上にある１つの基地局が１つ以上のセルにサービスしてもよい。さらに、各基地局は、１つ以上の通信技術をサポートしてもよい。基地局は、無線周波数上で動作するエアインターフェースを介して基地局のレンジ内の端末と通信する。本開示の文脈では、ダウンリンク（ＤＬ）という表現は、基地局から移動局への送信経路について使用される。アップリンク（ＵＬ）とう表現は、反対方向の、すなわち移動局から基地局への送信経路について使用される。
【０００５】
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）では、ｅＮｏｄｅＢ又はさらにはｅＮＢとして言及されることがある、基地局は、１つ以上のコアネットワークに直接接続されてよい。
【０００６】
ＬＴＥは、ＤＬでは直交周波数分割多重（ＯＦＤＭ）を使用し、ＵＬでは離散フーリエ変換（ＤＦＴ）拡散ＯＦＤＭを使用する。基本的なＬＴＥのＤＬ物理リソースを、したがって、図１に示されているような時間周波数グリッドとして見ることができ、各リソースエレメントは、１つのＯＦＤＭシンボルインターバルの期間中の１つのＯＦＤＭサブキャリアに対応する。１つのリソースエレメントは、サイクリックプレフィックスを含む１つのＯＦＤＭシンボルを含む。
【０００７】
マシンタイプ通信（ＭＴＣ）
マシンタイプ通信（ＭＴＣ）は、ヒューマンインタラクションを必ずしも必要としない１つ以上のエンティティに関与するデータ通信の一形態である。ＭＴＣデバイスは、ＭＴＣを通じて通信するデバイスである。いくつかの特定の事例では、ＭＴＣデバイスは、ちょうど説明したように、ＭＴＣのために具備されるワイヤレスデバイスであってよく、このワイヤレスデバイスは、パブリックランドモバイルネットワーク（ＰＬＭＮ）を通じてＭＴＣサーバ及び／又は他のＭＴＣデバイスと通信し得る。ＭＴＣサーバは、ＰＬＭＮ自体に、及びＰＬＭＮを通じてＭＴＣデバイスと通信し得るサーバである。ＭＴＣサーバはまた、ＭＴＣユーザによってアクセスされ得るインターフェースを有し得る。ＭＴＣサーバは、ＭＴＣユーザのためのサービスを実行し得る。ＭＴＣユーザは、ＭＴＣサーバによって提供されるサービスを使用し得る。ＭＴＣデバイスは、例えば、ホーム及び／又はビルオートメーションデバイス、アラーム、放射制御、料金支払いデバイス、人物追跡デバイス、荷物追跡デバイス、センサネットワーク、産業オートメーションデバイス、パーソナルネットワークデバイスなどであってよい。
【０００８】
すでに配備済みの無線アクセス技術を使用してＭＴＣ事業者がＭＴＣ  ＵＥにサービスすることが可能であることが効率的である。したがって、３ＧＰＰ  ＬＴＥは、ＭＴＣの効率的なサポートのための競争力のある無線アクセス技術として研究されている。ＭＴＣ  ＵＥのコストを低下させることは、「モノのインターネット」の概念の実装のための重要なイネーブラである。多くの適用例のために使用されるＭＴＣ  ＵＥは、低い動作電力消費を要するかもしれず、低頻度の小さいバースト送信で通信することが予期される。さらに、定義されているＬＴＥセルカバレッジの面積と比較してカバレッジ拡張を要し得る建物の奥深くにデバイスが配備されるという、Ｍ２Ｍのユースケースについてのかなりのマーケットが存在する。
【０００９】
拡張カバレッジは、「通常の」ＬＴＥ  ＵＥのために設計された、定義されているＬＴＥセルカバレッジの面積との比較におけるカバレッジの改善として理解されてよい。「通常の」ＬＴＥ  ＵＥは、（ａ）全システム帯域幅にわたって送信及び受信することが可能であること、（ｂ）少なくとも２つの受信機アンテナと１つの送信アンテナとを有すること、（ｃ）２３ｄＢｍの最大送信電力を有すること、を含む既定の実装を少なくとも有するＬＴＥ  ＵＥとして理解されてよい。
【００１０】
３ＧＰＰ  ＬＴＥ  Ｒｅｌ−１２は、長いバッテリー寿命を可能とするＵＥ電力節約モードと、低減されたモデムの複雑さを可能とする新しいＵＥカテゴリーとを定義している。Ｒｅｌ−１３では、さらなるＭＴＣの検討がさらにＵＥコストを低減し、カバレッジ拡張を提供することが予期される。コスト低減を可能とする重要な要素は、どんなシステム帯域幅内でもＤＬ及びＵＬにおいて１．４メガヘルツ（ＭＨｚ）の低減されたＵＥ無線周波数（ＲＦ）帯域幅を導入することである。
【００１１】
チャネル品質インジケータ（ＣＱＩ）
ＣＱＩは、受信されたＤＬ信号対干渉及び雑音比（ＳＩＮＲ）の測定値と、ＵＥの受信機特性の知識とに通常基づいて、ＤＬ送信のために好適なデータレート、典型的には変調及び符号化方式（ＭＣＳ）値を指し示すために、ＵＥによって基地局にシグナリングされる情報として理解されてよい。ＣＱＩインデックス及びそれらの解釈は、４位相偏移変調（ＱＰＳＫ）、１６直交振幅変調（ＱＡＭ）及び６４ＱＡＭに基づいてＣＱＩを報告するための、３ＧＰＰ  ＴＳ  ３６．２１３  Ｖ１２．４．０の表７．２．３−１に与えられている。
【００１２】
表１は、３ＧＰＰ  ＴＳ３６．２１３  Ｖ１２．４．０、表７．２．３−１に記述されているような、既存の４ビットＣＱＩテーブルの一例を示す。表１はいくつかのエントリ又は行を含む。各エントリは、識別子、この場合は０〜１５の数であるＣＱＩインデックスを割り当てている。各エントリは、変調法のそれぞれの値、例えば、ＱＰＳＫ、１６ＱＡＭ又は６４ＱＡＭに関連付けられる。各エントリはまた、コードレート及び効率性のそれぞれの値に関連付けられる。表１では、コードレート×１０２４は、コードレートの量子化バージョンを指し示す。またこの表では、効率性は、変調シンボルごとに送られ得る情報ビットの数を指し示す。表１中の、範囲外は、無線ノード、例えば、ｅＮｏｄｅＢが、最も低い変調及び符号化方式の場合でも、トランスポートブロックをＵＥに確実に送信し得ないこと、すなわち、ＰＤＳＣＨが、変調方式とトランスポートブロックサイズとの対応する組合せを使用するとき、ＣＱＩインデックス１が、トランスポートブロックエラー確率が０．１を超えないという条件を満たさないこと、を示す。
【００１３】
時間と周波数とにおいて制限の無い観測インターバルに基づくと、ＵＥは、ＵＬサブフレームｎにおいて報告されるＣＱＩ値ごとに、表７．２．３−１又は表７．２．３−２における１と１５との間の、以下の条件を満たす最も高いＣＱＩインデックスを導出するか、或いは、ＣＱＩインデックス１がこの条件を満たさない場合、ＣＱＩインデックス０を導出し得る。
【００１４】
−ＣＱＩインデックスに対応し、チャネル状態情報（ＣＳＩ）リファレンスリソースと呼ばれるＤＬ物理リソースブロックのグループを占有する、変調方式とトランスポートブロックサイズとの組合せを有する単一の物理ダウンリンク共有チャネル（ＰＤＳＣＨ）のトランスポートブロックが、０．１を超えないトランスポートブロックエラー確率で受信され得る。
【００１５】
2019080319.tif 000003
【００１６】
既存のＣＱＩテーブルはＰＤＳＣＨ送信が単一のサブフレーム内に収まることを前提としていることから、既存のＣＱＩテーブルはＭＴＣにはあてはまらないかもしれない。これは、低複雑度であり及び／又は拡張カバレッジであるＭＴＣ  ＵＥにとっては機能せず、なぜならそれらが単一のサブフレームを越えて続く可能性のあるデータ送信の反復に依拠し得るからである。既存のＣＱＩテーブルは、１つのＰＤＳＣＨ送信が１つのトランスポートブロックを搬送することを前提としている。ＭＴＣでは、単一のＰＤＳＣＨの多数回の反復が、併せて単一のＴＢを搬送することがある。ＰＤＳＣＨの反復回数は、ＵＥが経験する劣化したチャネル品質のレベルに応じて、数十回の反復又は数百回の反復であり得る。ＰＤＳＣＨの反復の利用可能性を無視することは、ＵＥが必要以上により低いＣＱＩインデックスを指し示すことにつながりかねない。例えば、ある劣化したチャネル品質まで、既存のＣＱＩテーブルを使用することは、ＵＥが「範囲外」をｅＮｏｄｅＢに指し示すことにつながることがあり、それにより、ｅＮｏｄｅＢは、ＵＥにどんなＰＤＳＣＨトランスポートブロックもスケジューリングしなくなる。したがって、既存のＣＱＩテーブルをＭＴＣに適用すると、ＰＤＳＣＨトランスポートブロック送信は、送信機会がスケジューリングされないことを含めて、低いＣＱＩに対応する低い変調及び符号化方式に著しくバイアスされることがあり、ワイヤレス通信ネットワークの性能の低下につながる。
【００１７】
今呈示した主題に関するさらなる詳細情報は、例えば、３ＧＰＰ  ＴＳ  ３６．２１  １  Ｖ１２．０．０、３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｃｈａｎｎｅｌｓ  ａｎｄ  ｍｏｄｕｌａｔｉｏｎ  （Ｒｅｌｅａｓｅ  １２）、３ＧＰＰ  ＴＳ  ３６．２１３  Ｖ１２．４．０、３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １２）、及び３ＧＰＰ  ＴＲ  ３６．８８８  ｖ１２．０．０、Ｓｔｕｄｙ  ｏｎ  ｐｒｏｖｉｓｉｏｎ  ｏｆ  ｌｏｗ−ｃｏｓｔ  Ｍａｃｈｉｎｅ−Ｔｙｐｅ  Ｃｏｍｍｕｎｉｃａｔｉｏｎｓ  （ＭＴＣ）  Ｕｓｅｒ  Ｅｑｕｉｐｍｅｎｔｓ  （ＵＥｓ）  ｂａｓｅｄ  ｏｎ  ＬＴＥ  （Ｒｅｌｅａｓｅ  １２）において見出され得る。
【発明の概要】
【発明が解決しようとする課題】
【００１８】
したがって、ここでの実施形態の目的は、チャネル品質情報を構成するための方法を提供することにより、ワイヤレス通信ネットワークの性能を改善することである。いくつかの実施形態では、構成は、ワイヤレスデバイスの構成であってよい。
【課題を解決するための手段】
【００１９】
いくつかの実施形態が本明細書に含まれる。より詳細には、以下は、無線ノード及びワイヤレスデバイス関連の実施形態である。
【００２０】
ここでの実施形態の第１の態様によれば、上記目的は、無線ノードにより実行される方法によって達成される。本方法は、複数のＣＱＩ値を構成するための方法である。無線ノードは、ワイヤレス通信ネットワークにおいて動作する。無線ノードは、複数のＣＱＩ値を構成する。複数のＣＱＩ値の各々は、データ送信の反復回数についての第１の標識に関連付けて構成される。
【００２１】
ここでの実施形態の第２の態様によれば、上記目的は、ワイヤレスデバイスにより実行される方法によって達成される。本方法は、無線ノードから構成データを受信するための方法である。無線ノード及びワイヤレスデバイスは、ワイヤレス通信ネットワークにおいて動作する。ワイヤレスデバイスは、無線ノードから構成データを受信する。構成データは、複数のＣＱＩ値についての構成を指し示す。複数のＣＱＩ値のうちの各ＣＱＩ値は、データ送信の反復回数についての第１の標識に関連付けられる。
【００２２】
ここでの実施形態の第３の態様によれば、上記目的は、複数のＣＱＩ値を構成するように構成された無線ノードにより達成される。無線ノードは、ワイヤレス通信ネットワークにおいて動作するように構成される。無線ノードは、複数のＣＱＩ値を構成するようにさらに構成される。複数のＣＱＩ値の各々は、データ送信の反復回数についての第１の標識に関連付けて構成される。
【００２３】
ここでの実施形態の第４の態様によれば、上記目的は、無線ノードから構成データを受信するように構成されるワイヤレスデバイスにより達成される。無線ノード及びワイヤレスデバイスは、ワイヤレス通信ネットワークにおいて動作するように構成される。ワイヤレスデバイスは、無線ノードから構成データを受信するようにさらに構成される。構成データは、複数のＣＱＩ値についての構成を指し示すように構成される。複数のＣＱＩ値のうちの各ＣＱＩ値は、データ送信の反復回数についての第１の標識に関連付けられる。
【００２４】
ここでの実施形態の第５の態様によれば、上記目的は、少なくとも１つのプロセッサ上で実行された場合に、無線ノードにより実行される方法を少なくとも１つのプロセッサに遂行させる命令、を含むコンピュータプログラムにより達成される。
【００２５】
ここでの実施形態の第６の態様によれば、上記目的は、少なくとも１つのプロセッサ上で実行された場合に、無線ノードにより実行される方法を少なくとも１つのプロセッサに遂行させる命令、を含むコンピュータプログラムが記憶されたコンピュータ読取可能な記憶媒体により達成される。
【００２６】
ここでの実施形態の第７の態様によれば、上記目的は、少なくとも１つのプロセッサ上で実行された場合に、ワイヤレスデバイスにより実行される方法を少なくとも１つのプロセッサに遂行させる命令、を含むコンピュータプログラムにより達成される。
【００２７】
ここでの実施形態の第８の態様によれば、上記目的は、少なくとも１つのプロセッサ上で実行された場合に、ワイヤレスデバイスにより実行される方法を少なくとも１つのプロセッサに遂行させる命令、を含むコンピュータプログラムが記憶されたコンピュータ読取可能な記憶媒体により達成される。
【００２８】
複数のＣＱＩ値を構成する無線ノードにより、複数のＣＱＩ値の各々が、データ送信の反復回数についての第１の標識に関連付けて構成され、無線ノードは、ＭＴＣにおけるように、データ送信の反復の文脈においてチャネル品質を処理するのに好適なＣＱＩ値で無線ノード自体を構成することが可能である。
【００２９】
ここでの実施形態によれば、ＣＱＩ値はまた、反復して実行されるデータ送信に関連するワイヤレスデバイスにおいて構成されてよい。これは、ＭＴＣデバイスなど、いくつかの特徴を有するワイヤレスデバイスが、チャネル条件を適切な方法でフィードバックすることを可能とすることができ、ワイヤレス通信ネットワークの改善された性能につながる。ここでの実施形態は、それらにより、例えば狭帯域ＭＴＣ  ＵＥが、より広いシステム帯域幅とともにレガシーＬＴＥシステムにおいて動作することと、ＰＤＳＣＨが経験し得る反復のレベルに一致するレンジでＣＱＩを報告することができることと、が可能となるという利点を提供する。
【００３０】
ここでの実施形態の例について、添付の図面を参照しながらより詳細に説明する。
【図面の簡単な説明】
【００３１】
【図１】ＬＴＥのダウンリンク物理リソースの概略図である。
【図２】ここでの実施形態に係る、ワイヤレス通信ネットワークを示す概略図である。
【図３】ここでの実施形態に係る、無線ノードにおける方法の実施形態を示すフローチャートである。
【図４】ここでの実施形態に係る、ワイヤレスデバイスにおける方法の実施形態を示すフローチャートである。
【図５】ここでの実施形態に係るスペクトル効率の概略図である。
【図６】ここでの実施形態に係る低いスペクトル効率の概略図である。
【図７】ここでの実施形態に係るスペクトル効率の概略図である。
【図８】ここでの実施形態に係る低いスペクトル効率の概略図である。
【図９】ここでの実施形態に係る、無線ノードの実施形態を示す概略ブロック図である。
【図１０】ここでの実施形態に係る、ワイヤレスデバイスの実施形態を示す概略ブロック図である。
【図１１】ここでの実施形態に関連する例に従った、無線ノードにおける方法の実施形態を示すフローチャートである。
【図１２】ここでの実施形態に関連する例に従った、ワイヤレスデバイスにおける方法の実施形態を示すフローチャートである。
【発明を実施するための形態】
【００３２】
ここでの実施形態の配備の一部として、最初に問題が特定され、議論される。
【００３３】
既存のシステムでは、ＣＱＩ定義は、低複雑度及び／又は拡張カバレッジを有し得る、ＭＴＣ  ＵＥのＲｅｌ−１３タイプをサポートする必要はない。既存のＣＱＩ設計は、そのようなＭＴＣ  ＵＥのために、低減されたＤＬ及びＵＬ帯域幅、或いは、複数回、例えば、時間的に１０秒（ｓ）〜１００ｓ、ＰＤＳＣＨを含むＤＬ送信を反復する必要性を考慮に入れていない。
【００３４】
Ｒｅｌ−１３  ＭＴＣ  ＵＥの上記の制約に起因して、既存のＣＱＩ設計は、これが通信の逸失につながりかねないことから、直接的に適用され得ない。
【００３５】
ここでの実施形態は、Ｒｅｌ−１３  ＭＴＣ  ＵＥにＣＱＩ定義を提供すると理解されてよい。
【００３６】
次に以下で、特許請求される主題の例が示されている添付の図面を参照しながら、実施形態についてより十分に説明する。但し、特許請求される主題は、多くの異なる形態で実施されてよく、本明細書に記載された実施形態に限定されるものと解釈されるべきではない。そうではなく、これらの実施形態は、本開示が綿密で完全になるように提供され、特許請求される主題の範囲を当業者に十分に伝達する。
【００３７】
図２は、ここでの実施形態が実装され得る、セルラー無線システム、セルラーネットワーク又はワイヤレス通信システムとして言及されることもある、ワイヤレス通信ネットワーク１００の一例を示す。ワイヤレス通信ネットワーク１００は、例えば、ロングタームエボリューション（ＬＴＥ）、例えばＬＴＥ周波数分割複信（ＦＤＤ）、ＬＴＥ時分割複信（ＴＤＤ）、ＬＴＥ半二重周波数分割複信（ＨＤ−ＦＤＤ）、無認可帯域において動作するＬＴＥ、広帯域符号分割多重接続（ＷＣＤＭＡ）、ユニバーサル地上波無線アクセス（ＵＴＲＡ）ＴＤＤ、モバイル通信用グローバルシステム（ＧＳＭ）ネットワーク、ＧＳＭ／ＧＳＭ発展型高速データレート（ＥＤＧＥ）無線アクセスネットワーク（ＧＥＲＡＮ）ネットワーク、ウルトラモバイルブロードバンド（ＵＭＢ）、ＥＤＧＥネットワーク、無線アクセス技術（ＲＡＴ）の任意の組合せからなるネットワーク、例えば多規格無線（ＭＳＲ）基地局、マルチＲＡＴ基地局など、任意の第３世代パートナーシッププロジェクト（３ＧＰＰ）セルラーネットワーク、ＷｉＦｉネットワーク、ワールドワイドインターオペラビリティフォーマイクロウェーブアクセス（ＷｉＭａｘ）、５Ｇシステム又は任意のセルラーネットワーク若しくはシステムといったネットワークであってよい。このように、ここでの実施形態を例示するために本開示では３ＧＰＰ  ＬＴＥからの用語が使用されることがあるが、これは、ここでの実施形態の範囲を上述のシステムのみに限定するものと見られるべきではない。
【００３８】
ワイヤレス通信ネットワーク１００は無線ノード１０１を備える。無線ノード１０１は、以下で説明するネットワークノード１１０など、無線ネットワークノード、又は以下で説明するワイヤレスデバイス１２０などのワイヤレスデバイスであってよい。図２に示されている非限定的な特定の例では、無線ノード１０１はネットワークノード１１０である。
【００３９】
ワイヤレス通信ネットワーク１００は複数のネットワークノードを備え、それらのうち、ネットワークノード１１０が図２に示されている。ネットワークノード１１０は、ワイヤレス通信ネットワーク内のユーザ機器又はマシンタイプ通信デバイスなどのワイヤレスデバイスにサービスすることが可能な無線基地局、例えばｅＮＢ、ホームノードＢ、ホームｅＮｏｄｅＢ又は任意の他のネットワークノードといった送信ポイントであってよい。
【００４０】
ワイヤレス通信ネットワーク１００は、セルエリアに分割される地理的エリアをカバーし、各セルエリアはネットワークノードによってサービスされ得るが、１つのネットワークノードは１つ以上のセルにサービスし得る。図２に示されている非限定的な例では、ネットワークノード１１０はセル１３０にサービスする。セル１３０は、ネットワークノード１１０とワイヤレスデバイス１２０との間の通信のために使用されてよい。ネットワークノード１００は、送信電力と、したがってセルサイズとにも基づいて、例えばマクロｅＮｏｄｅＢ、ホームｅＮｏｄｅＢ又はピコ基地局といった、異なるクラスのネットワークノードであってよい。典型的には、ワイヤレス通信ネットワーク１００は、それぞれのネットワークノードによってサービスされる、セル１３０と同様のより多くのセルを備え得る。これは、簡単のために図２に示されていない。ネットワークノード１１０は１つ以上の通信技術をサポートしてよく、それらの名称は、使用される技術及び用語に依存し得る。３ＧＰＰ  ＬＴＥにおいてｅＮｏｄｅＢ又はさらにはｅＮＢとして言及されることがあるネットワークノード１１０は、図２に表されてない１つ以上のコアネットワークに直接的に接続されてよい。
【００４１】
ここでユーザ機器（ＵＥ）としても言及されるワイヤレスデバイス１２０が、ワイヤレス通信ネットワーク１００内に位置する。ワイヤレスデバイス１２０は、例えばモバイル端末、ワイヤレス端末及び／又は移動局としても知られているＵＥといったワイヤレス通信デバイスである。デバイスはワイヤレスであり、すなわち、デバイスは、ワイヤレス通信ネットワーク１００においてワイヤレスに通信することを可能とされる。通信は、例えば、２つのデバイスの間、デバイスと通常の電話との間及び／又はデバイスとサーバとの間で実行され得る。通信は、例えば、ワイヤレス通信ネットワーク１００内に備えられる、ＲＡＮと、恐らくは１つ以上のコアネットワークとを介して実行され得る。
【００４２】
ワイヤレスデバイス１２０はさらに、いくつかのさらなる例を少し述べると、ワイヤレスケイパビリティを有する携帯電話、セルラー電話、ラップトップとして言及されることがある。本文脈におけるワイヤレスデバイス１２０は、例えば、サーバ、ラップトップ、携帯情報端末（ＰＤＡ）、又はワイヤレスケイパビリティを有するサーフィンプレートとして言及されることがあるタブレットコンピュータ、マシンツーマシン（Ｍ２Ｍ）デバイス、プリンタ若しくはファイルストレージデバイスなど、ワイヤレスインターフェースを具備するデバイス、或いはセルラー通信システムにおいて無線リンクを介して通信することが可能な任意の他の無線ネットワークユニットといった別のエンティティと、ＲＡＮを介して音声及び／又はデータを通信することを可能とされる、ポータブル、ポケット格納可能、ハンドヘルド、コンピュータ搭載型、又は車載型モバイルデバイスであってよい。
【００４３】
ワイヤレスデバイス１２０は、ワイヤレス通信ネットワーク１００内で、セル１３０において無線リンク１４０を介してネットワークノード１１０と通信するように構成される。
【００４４】
ここでの実施形態を例示するために本開示では３ＧＰＰ  ＬＴＥからの用語が使用されているが、これは、ここでの実施形態の範囲を上述のシステムのみに限定するものと見られるべきではないことに留意されたい。ＷＣＤＭＡ、ＷｉＭａｘ、ＵＭＢ及びＧＳＭを含む、他のワイヤレスシステムも、本開示内に包含されるアイデアを活用して恩恵を受け得る。したがって、本明細書におけるＵＥへのいかなる言及も、ワイヤレスデバイス１２０といったワイヤレスデバイスに適用されると理解されたい。本明細書におけるｅＮＢへのいかなる言及も、無線ノード１０１といった無線ノード、例えば、ネットワークノード１１０に適用されると理解されたい。
【００４５】
また、ｅＮｏｄｅＢ及びＵＥといった用語は、非限定的なものと見なされるべきであり、それら２つの間に特定の階層関係を特に暗示しないことに留意されたい。概して、「ｅＮｏｄｅＢ」はデバイス１として見なされてよく、「ＵＥ」はデバイス２として見なされてよく、これら２つのデバイスは、何らかの無線チャネルを介して互いに通信する。
【００４６】
本セクションにおいて、ここでの実施形態は、いくつかの例示的な実施形態によってより詳細に示される。これらの実施形態は相互排他的でないことに留意されたい。ある実施形態からの構成要素が別の実施形態において存在すると暗黙的に仮定されてもよく、それらの構成要素が他の例示的な実施形態においてどのように使用され得るかは、当業者にとって明らかであろう。
【００４７】
特に、ここでの実施形態は、例えばＬＴＥにおける狭帯域ＭＴＣのために、ＤＬチャネル品質測定及びレポーティングをサポートするための手法を提供することとして理解されてよい。
【００４８】
ここでの実施形態は、ワイヤレスデバイス１２０といった拡張カバレッジＵＥのためのＣＱＩテーブルを定義するためのいくつかの方法を提供し得る。ここでの実施形態に従って既存のＣＱＩテーブルが修正され、反復回数が数回から数百回まで変動するような、ＤＬデータ送信のために反復が必要なケースのための標識が提供されてもよい。
【００４９】
ここでの実施形態はまた、例えば、ＭＴＣ  ＵＥが配備され得るロケーションに関連し得る、ｅＮｏｄｅＢなどの無線ノード１０１とＵＥなどのワイヤレスデバイス１２０との間の無線リンク１４０のチャネル条件、ＭＴＣ  ＵＥが実行することが予期され得るタイプのサービスの平均データレート、又はＵＥが具備し得る受信アンテナの数を含む、ＭＴＣ  ＵＥの動作条件に従ってＣＱＩ定義を適応させるための、いくつかの方法を提供し得る。これは、ＵＥが遭遇し得る動作条件の全てのレンジを単一のＣＱＩ定義がカバーすることを意図される既存のＣＱＩ定義とは相違する。
【００５０】
ここでの実施形態はまた、ここで提供される新しいＣＱＩ定義を可能とするための、関連付けられたシグナリングに関連するいくつかの方法を提供し得る。
【００５１】
次に、複数のＣＱＩ値を構成するための、無線ノード１０１により実行される方法の実施形態について、図３に示されているフローチャートを参照しながら説明する。無線ノードは、ワイヤレス通信ネットワークにおいて動作する。
【００５２】
本方法は以下のアクションを含むことができ、それらアクションは、以下で説明する順序以外の別の好適な順序で遂行されてもよい。すべてのアクションが実行される必要はない。図３では、随意のアクションは破線ブロックとして表されている。
【００５３】
アクション３０１
以下のいくつかの例では、ワイヤレスデバイス１２０は、ＭＴＣ  ＵＥの特徴を伴う、ＭＴＣ  ＵＥであってよい。ワイヤレスデバイス１２０はＲｅｌ−１３  ＭＴＣ  ＵＥであってもよく、それは通常カバレッジと拡張カバレッジとにおいて動作し得ることから、適切な変調法及び符号化レートのレンジは、カバレッジ拡張の量に応じて劇的に変動し得る。
【００５４】
通常カバレッジＵＥについて、表１に示されているような、Ｒｅｌ−１２において導入された２５６ＱＡＭ変調法に対応するエントリの無い既存のＣＱＩテーブルが使用されてよい。
【００５５】
拡張カバレッジで動作するワイヤレスデバイス１２０について、高次の変調法（例えば１６ＱＡＭ及び６４ＱＡＭ）のＣＱＩテーブル１内のエントリは、前に論じたように、もはや有用でないかもしれない。拡張カバレッジについて、通常カバレッジにおけるＣＱＩレンジと拡張カバレッジにおけるＣＱＩレンジとが存在するような、ここで提供される新しいＣＱＩ定義が必要であり得る。この新しい定義は、以下で説明するように、アクション３０１を実行することにより達成され得る。
【００５６】
このアクションでは、例えば、カバレッジ拡張において必要であり得る、無線ノード１０１による反復的なＤＬ送信を考慮したＣＱＩを取得する目的で、無線ノード１０１は複数のＣＱＩ値を構成する。複数のＣＱＩ値の各々は、データ送信、例えば、無線ノード１０１によるＤＬデータ送信の反復回数についての第１の標識に関連付けて構成される。ＤＬデータ送信は、例えば、ＰＤＳＣＨのＤＬデータ送信であってよい。第１の標識はデータ送信の反復回数を指し示し得る。標識は、ここで理解されるように、数値又は他のコード若しくは命令であってもよい。第１の標識及び第２の標識という命名がここでなされる。この文脈における第１及び第２は、反復される一連の同じ標識のうちの第１の標識としてではなく、異なる標識の間での区別をするための手法として解釈されるべきである。
【００５７】
複数のＣＱＩ値の各々が第１の標識に関連付けて構成されることは、それら複数のＣＱＩ値の全体がその標識に関連付けられ得るものとして理解されてもよい。
【００５８】
複数のＣＱＩ値は、例えば、ＣＱＩ値のテーブルであってよい。それはまた、表１など、ＣＱＩ値の既存のテーブルに追加され得るＣＱＩ値のグループであってもよい。すなわち、複数のＣＱＩ値は、例えば、表１中の既存のエントリに付加され又は既存のエントリに置き換わり得る、エントリの新しいセットであってよい。
【００５９】
いくつかの実施形態では、無線ノード１０１は、複数のＣＱＩ値でワイヤレス通信ネットワーク１００において動作するワイヤレスデバイス１２０を構成し得る。そのような実施形態では、複数のＣＱＩ値のうちの各ＣＱＩ値は第１の標識に関連付けられてよく、第１の標識は、データ送信がワイヤレスデバイス１２０へ向けて反復的に送信されるということであり得る。反復的な送信とは、例えば、時間的に複数のサブフレームにわたって反復されることを意味し得る。
【００６０】
無線ノード１０１は、ワイヤレスデバイス１２０に構成データを送ることによりワイヤレスデバイス１２０を構成してもよい。構成データは、ワイヤレスデバイス１２０での複数のＣＱＩ値についての構成を指し示し得る。その構成は、無線ノード１０１から送られる信号に従って実行されてもよい。無線ノード１０１から送られる信号は、例えば、ブロードキャストされる信号であってもよく、或いはそれは、無線リンク１４０を通じて送られるワイヤレスデバイス固有のＲＲＣメッセージ内に含まれてもよい。いくつかの実施形態では、無線ノード１０１は、例えば、受信された第１の標識から複数のＣＱＩ値が暗黙的に導出され得るように、データ送信の反復回数についての第１の標識をワイヤレスデバイス１２０に送ることにより構成を実行してもよい。
【００６１】
いくつかの実施形態では、データ送信の反復回数についての第１の標識は、データ送信の反復回数のセットを提供するか、又はそれを含み得る。
【００６２】
構成される複数のＣＱＩ値は、例えば、すべてがＱＰＳＫ変調法に関連付けて構成され得る１６個の値を含んでもよい。他の例では、構成される複数のＣＱＩ値は、すべてがＱＰＳＫ変調法に関連付けて構成され得る３２個の値を含んでもよい。
【００６３】
ＣＱＩ値は、第１の標識の一例として、スペクトル効率の標識に関連付けて構成されてもよい。スペクトル効率の標識は、時間的な複数の無線リソースにわたる情報の反復、例えば、時間的な複数のサブフレームにわたる反復に基づいて算出されてもよい。
【００６４】
ＣＱＩ値は、無線ノード１０１が報告されるＣＱＩ値をどのように解釈すべきかが分かるように、無線ノード１０１にも知らされてもよい。すなわち、いくつかの実施形態では、無線ノード１０１は、このアクションにおいて、それ自体を上記複数のＣＱＩ値で構成し得る。
【００６５】
拡張カバレッジのための新しいＣＱＩ定義を提供するために様々な方法が使用されてよい。これらの方法は、以下では、例示的な方法１、例示的な方法２、及び例示的なハイブリッド方法として説明される。
【００６６】
アクション３０２
このアクションでは、無線ノード１０１は、カバレッジに関連するワイヤレスデバイス１２０の動作条件についての第２の標識をワイヤレスデバイス１２０から受信する。無線ノード１０１は、例えば、無線リンク１４０を介してワイヤレスデバイス１２０からメッセージを受信することにより、第２の標識を受信してもよい。すなわち、信号がワイヤレスデバイス１２０から送られる。一例では、メッセージは、例えば、ワイヤレスデバイス１２０がＰＲＡＣＨを送信するために選択したであろうコード、時間、又は周波数リソース内に組み込まれてもよい。動作条件は、ワイヤレスデバイス１２０が動作し得るやり方（manner）若しくはモードとして、又は、カバレッジレベルなど、ワイヤレスデバイス１２０が動作し得る１つ以上の状況として理解されてよい。カバレッジレベルは、例えば、リファレンス信号受信電力（ＲＳＲＰ）測定値に基づいてもよい。いくつかの実施形態では、動作条件は、劣悪なチャネル品質として見なされ得るものを定義するための、しきい値を下回るチャネル品質と、良いチャネル品質として見なされ得るものを定義するための、しきい値を上回るチャネル品質と、のうちの１つに関連してもよい。チャネルは、例えば無線リンク１４０であってもよい。チャネル品質は、値のセットのうちの１つの値であってよい。そして、その値は、予め構成されるしきい値であってもよいしきい値よりも上か下かであり得る。
【００６７】
いくつかの実施形態では、動作条件は、上記で説明したように、通常カバレッジ及び拡張カバレッジのうちの１つに関連してもよい。通常カバレッジは、ここでの文脈において拡張カバレッジにはあてはまらない条件として理解されてよい。
【００６８】
アクション３０３
このアクションでは、無線ノード１０１は、次いで、ワイヤレスデバイス１２０から受信される第２の標識に従って、構成される複数のＣＱＩ値を適応させるか、又は複数のＣＱＩ値のうちの一部を選択し得る。すなわち、無線ノード１０１は、アクション３０１において、例えば表１の既存のＣＱＩテーブルに加えて、ＣＱＩ値の第２のテーブルを構成しているであろう。ワイヤレスデバイス１２０から第２の標識を受信した後に、その標識が、例えば、ワイヤレスデバイス１２０がカバレッジ拡張において動作することを指し示す場合、このアクション３０３において、無線ノード１０１は、ＣＱＩ値の第２のテーブルを使用することを決定し得る。すなわち、そのテーブルは、ＤＬデータ送信が反復され得ることを考慮している。代替的に、それは、複数のＣＱＩ値のうちの、カバレッジ拡張についてより適当であり得る部分を選択してもよい。
【００６９】
いくつかの実施形態では、動作条件は、チャネル品質値に関連してもよい。複数のＣＱＩ値は、ＣＱＩ値の複数のセットを含み得る。ＣＱＩ値の複数のセットが重なり合ってもよい。その場合、無線ノード１０１は、ＣＱＩ値の複数のセットのうちの１つのセットを選択することができ、ＣＱＩ値の複数のセットのうちの１つのセットは、チャネル品質値に基づいて選択されてもよい。すなわち、無線ノード１０１は、その場合、動作条件がしきい値を下回るチャネル品質という動作条件であるときには複数のＣＱＩ値のうちの第１のセットを選択することと、動作条件がしきい値を上回るチャネル品質という動作条件であるときには複数のＣＱＩ値のうちの第２のセットを選択することとにより、構成される複数のＣＱＩ値を適応させてもよい。これは、チャネル品質が劣悪な、すなわち、しきい値を下回る場合、使用され得ないいくつかの変調方式があることがあり、その場合、ＣＱＩの値のレンジをワイヤレスデバイス１２０によって使用することが不必要であり得るからである。
【００７０】
このアクション３０３を実行することにより、無線ノード１０１は、例えば、カバレッジ拡張の文脈でより適しているであろうＣＱＩ値、無線ノード１０１とワイヤレスデバイス１２０との間のチャネルの品質、及び／又はワイヤレスデバイスのケイパビリティを活用し得る。
【００７１】
アクション３０４
このアクションでは、無線ノード１０１は、アクション３０３において適応された、適応後の複数のＣＱＩ値をワイヤレスデバイス１２０に指し示し得る。これは、例えば、無線リンク１４０を介して、ワイヤレスデバイス１２０に第３の標識を送ることにより実行されてよい。第３の標識は、適応後の複数のＣＱＩ値の明示的な標識を含むメッセージであってもよく、又はそれについての別途の標識を送ることによるメッセージであってよく、別途の標識が予め構成されていてもよい。例えば、カバレッジ拡張モードのためのＣＱＩテーブルを使用するための標識など、アクション３０１において構成された複数のＣＱＩ値を使用するための標識を送ることによる。
【００７２】
言い換えれば、このアクションにおいて、無線ノード１０１は、次いで、適応後の複数のＣＱＩ値を使用するようにワイヤレスデバイス１２０を構成し得る。動作条件がチャネル品質値に関連していてもよく、複数のＣＱＩ値がＣＱＩ値の複数のセットを含み得るいくつかの実施形態では、このアクション３０４での指し示すことは、ＣＱＩ値の複数のセットのうちの１つのセットを使用するようにワイヤレスデバイス１２０を構成することを含んでもよく、ＣＱＩ値の複数のセットのうちの１つのセットがチャネル品質値に基づいて選択されてもよい。言い換えれば、無線ノード１０１からの第３の標識は、ＣＱＩ値の複数のセットのうちの１つのセットを使用することをワイヤレスデバイス１２０に指し示してもよい。例えば、無線ノード１０１は、その場合、動作条件がしきい値を下回るチャネル品質という動作条件であるときには複数のＣＱＩ値のうちの第１のセットを使用するようにワイヤレスデバイス１２０を構成し、動作条件がしきい値を上回るチャネル品質という動作条件であるときには複数のＣＱＩ値のうちの第２のセットを使用するようにワイヤレスデバイス１２０を構成し得る。
【００７３】
いくつかの実施形態では、動作条件はワイヤレスデバイス１２０のケイパビリティに関連していてもよく、上記ケイパビリティは、例えば、ワイヤレスデバイス１２０のアンテナの数であってもよい。例えば、２つの受信アンテナを有するＵＥは、より高いスペクトル効率を有するＣＱＩ定義テーブルとマッチングされてよく、一方、単一の受信アンテナを有するＵＥは、より高いスペクトル効率を有するＣＱＩ定義テーブルとマッチングされてよい。
【００７４】
無線ノード１０１は、追加的に、あるＣＱＩ値をワイヤレスデバイス１２０から受信してもよく、その値は、構成された複数のＣＱＩ値のうちの値であり得る。
【００７５】
いくつかの実施形態では、構成される複数のＣＱＩ値のうちの値に従ってワイヤレスデバイス１２０から受信され得るＣＱＩ値は、１つ以上のＤＬ又はスペシャルサブフレームによって定義され得る時間領域内のＣＳＩリファレンスリソースに基づいてもよい。ＣＳＩは、ＣＱＩの一種として理解されてよい。セル１３０などのサービングセルのためのＣＳＩリファレンスリソースは以下のように定義されてよい。
【００７６】
−  周波数領域では、ＣＳＩリファレンスリソースはＤＬ物理リソースブロックのグループにより定義されてよく、導出されるＣＱＩ値はそのグループに関連する。
【００７７】
−  時間領域では、送信モード１〜９で構成されるワイヤレスデバイス、又は、サービングセルのために単一の構成されるＣＳＩプロセスを有する３ＧＰＰ  ＴＳ  ３６．２１３  ｖ１２．０．０において定義されているような送信モード１０で構成されるワイヤレスデバイスについて、ＣＳＩリファレンスリソースは、サブフレーム（ｎ−ｎＣＱＩ＿ｒｅｆ−ｎｒｅｐ＋１）からサブフレーム（ｎ−ｎＣＱＩ＿ｒｅｆ）までの１つ以上のＤＬ又はスペシャルサブフレームによって定義されてよい。ここで、サブフレームｎは、ＣＳＩレポーティングのサブフレームインデックスであり、ｎＣＱＩ＿ｒｅｆ（通常は４に等しい）は、ＣＳＩレポーティングモードに依存し、ｎｒｅｐは、ＣＱＩ値に対応する反復回数である。
【００７８】
スペシャルサブフレームは、ＴＤＤシステムにおけるＤＬ−ＵＬ遷移サブフレームとして理解されてよい。
【００７９】
ＣＳＩリファレンスリソースは、ｎｒｅｐ個のＤＬ又はスペシャルサブフレームのセットによりさらに定義されてよく、その最後のサブフレームはサブフレームｎ−ｎＣＱＩ＿ｒｅｆであり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する反復回数である。ＣＳＩプロセスのための、及びＣＳＩレポーティングモードのためのＣＳＩレポーティングのサブフレームインデックスの定義は、例えば、３ＧＰＰ  ＴＳ  ３６．２１３  ｖ１２．０．０において見出され得る。
【００８０】
次に、無線ノード１０１から構成データを受信するための、ワイヤレスデバイス１２０により実行される方法の実施形態について、図４に示されているフローチャートを参照しながら説明する。前述したように、無線ノード１０１及びワイヤレスデバイス１２０は、ワイヤレス通信ネットワーク１００において動作する。
【００８１】
以下のいくつかについての詳細な説明は、無線ノード１０１について説明したアクションに関連して、上記で提供された同じ参照に対応し、したがって、ここでは繰り返さない。
【００８２】
本方法は以下のアクションを含むことができ、上記アクションは、以下で説明する順序以外の別の好適な順序で遂行されてもよい。
【００８３】
アクション４０１
このアクションでは、ワイヤレスデバイス１２０は、無線ノード１０１から構成データを受信する。これは、アクション３０１において前に説明した構成の結果であり得る。構成データは、例えば、ワイヤレスデバイスにおいて、複数のＣＱＩ値についての構成を指し示す。複数のＣＱＩ値のうちの各ＣＱＩ値は、データ送信の反復回数についての第１の標識に関連付けられる。すなわち、複数のＣＱＩ値のうちの各ＣＱＩ値は、データ送信がワイヤレスデバイス１２０へ向けて反復的に送信されるという、第１の標識に関連付けられる。複数のＣＱＩ値のうちの各ＣＱＩ値は、スペクトル効率の標識に関連付けて構成されてもよい。スペクトル効率の標識は、時間的な複数の無線リソースにわたる情報の反復に基づいて算出されてもよい。ワイヤレスデバイス１２０は、前に説明したように、無線ノード１０１から送られる信号、例えば、ＲＲＣメッセージを介して無線ノード１０１から構成データを受信してもよい。
【００８４】
いくつかの実施形態では、データ送信の反復回数についての第１の標識は、データ送信の反復回数のセットを提供するか又はそれを含んでもよい。
【００８５】
アクション４０２
このアクションでは、ワイヤレスデバイス１２０は、カバレッジに関連するワイヤレスデバイス１２０の動作条件についての標識である第２の標識を無線ノード１０１へ送信し得る。前に説明したように、動作条件は、通常カバレッジ及び拡張カバレッジのうちの一方に関連し得る。
【００８６】
いくつかの実施形態では、第２の標識は、ｌｃｏｖｅｒａｇｅと呼ばれるパラメータであってよく、これについて以下で説明する。例えば、構成パラメータｌｃｏｖｅｒａｇｅはいくつかの値を取り得る。２つの値（ｌｃｏｖｅｒａｇｅ＝「通常（normal）」及びｌｃｏｖｅｒａｇｅ＝「拡張（enhanced）」）の代わりに、ｌｃｏｖｅｒａｇｅは、様々なカバレッジ拡張レベル、例えば、ｌｃｏｖｅｒａｇｅ＝「通常」、ｌｃｏｖｅｒａｇｅ＝「やや拡張（somewhat  enhanced）」、ｌｃｏｖｅｒａｇｅ＝「かなり拡張（very  enhanced）」、及びｌｃｏｖｅｒａｇｅ＝「極端に拡張（extremely  enhanced）」（又は、代替的に、ｌｃｏｖｅｒａｇｅ＝｛０，１，２，３｝）に対応する、複数のＣＱＩテーブルのうちの１つを指し示すように構成されてもよい。
【００８７】
ワイヤレスデバイス１２０は、アクション３０２において説明したメッセージを送ることにより、無線ノード１０１に第２の標識を送信してもよく、このメッセージは、例えば無線リンク１４０を介して、無線ノード１０１にＰＲＡＣＨメッセージを送信するためにワイヤレスデバイス１２０が選択したであろう、例えば、コード、時間、又は周波数リソース内に組み込まれてもよい。
【００８８】
アクション４０３
ワイヤレスデバイス１２０は、次いで、例えば、無線リンク１４０を介して、アクション４０３において説明するように、適応後の複数のＣＱＩ値の標識である第３の標識を無線ノード１０１から受信し得る。適応後の複数のＣＱＩ値は、ワイヤレスデバイス１２０の動作条件に従って適応される複数のＣＱＩ値であってもよい。
【００８９】
いくつかの実施形態では、動作条件は、チャネル品質値、例えば、値のセットのうちの１つの値のチャネル品質に関連してもよい。複数のＣＱＩ値は、ＣＱＩ値の複数のセットを含んでもよい。そのような実施形態では、無線ノード１０１からの第３の標識は、ＣＱＩ値の複数のセットのうちの１つのセットを使用することを指し示し得る。そのような実施形態では、ＣＱＩ値の複数のセットのうちの当該１つのセットは、チャネル品質値に基づいて選択されていてもよい。いくつかの実施形態では、ＣＱＩ値の複数のセットは重なり合ってもよい。
【００９０】
動作条件は、しきい値を下回るチャネル品質及びしきい値を上回るチャネル品質のうちの一方であってもよい。ワイヤレスデバイス１２０は、その場合、無線ノード１０１から第３の標識を受信することができ、第３の標識は、動作条件がしきい値を下回るチャネル品質という動作条件であるときには複数のＣＱＩ値のうちの第１のセットを使用するための標識であり、動作条件がしきい値を上回るチャネル品質という動作条件であるときには複数のＣＱＩ値のうちの第２のセットを使用するための標識であり得る。
【００９１】
構成される複数のＣＱＩ値は、すべてがＱＰＳＫ変調法に関連付けて構成され得る１６個の値を含んでもよい。他の実施形態において、構成される複数のＣＱＩ値は、すべてがＱＰＳＫ変調法に関連付けて構成され得る３２個の値を含んでもよい。
【００９２】
いくつかの実施形態では、ワイヤレスデバイス１２０は、構成される複数のＣＱＩ値のうちの値に従って無線ノード１０１にＣＱＩ値を送信し得る。送信されるＣＱＩ値は、１つ以上のダウンリンク又はスペシャルサブフレームにより定義される時間領域内のＣＳＩリファレンスリソースに基づいてもよい。
【００９３】
前に論じたように、ＣＳＩリファレンスは、ｎｒｅｐ個のＤＬ又はスペシャルサブフレームのセットによりさらに定義されてよく、その最後のサブフレームはサブフレームｎ−ｎＣＱＩ＿ｒｅｆであり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する反復回数である。
【００９４】
時間と周波数とにおいて制限の無い観測インターバルに基づくと、ワイヤレスデバイス１２０は、ＵＬサブフレームｎにおいて報告されるＣＱＩ値ごとに、以下の条件を満たす、例えばＣＱＩ定義テーブルにおける１と１５との間の最も高いＣＱＩインデックスを導出するか、或いは、ＣＱＩインデックス１が以下の条件を満たさない場合、ＣＱＩインデックス０を導出し得る。
【００９５】
−  ＣＱＩインデックスに対応する変調方式とトランスポートブロックサイズとの組合せを有する単一のＰＤＳＣＨトランスポートブロックであって、ＣＳＩリファレンスリソースと呼ばれるＤＬ物理リソースブロックのグループ及びいくつかのＤＬサブフレームを占有する当該単一のＰＤＳＣＨトランスポートブロックを、０．１を超えないトランスポートブロックエラー確率で受信し得る。
【００９６】
以下では、ここでの実施形態に係る、拡張カバレッジのための新しいＣＱＩ定義を提供するために使用され得る様々な方法の例が提供される。以下の例では、ワイヤレスデバイス１２０は、ＭＴＣ  ＵＥの特徴を伴うＭＴＣ  ＵＥである。
【００９７】
例示的な方法１
拡張カバレッジで動作するワイヤレスデバイス１２０について、ＣＱＩテーブル１内の、高次の変調法（例えば１６ＱＡＭ及び６４ＱＡＭ）のエントリは、もはや有用ではないかもしれない。１６ＱＡＭ及び６４ＱＡＭ変調法に対応する、７〜１５のＣＱＩインデックスは削除されてもよい。低いスペクトル効率を有するＱＰＳＫのエントリの新しいセット（複数のＣＱＩ値）が、アクション３０１及びアクション４０１により追加されてもよい。ＣＱＩ定義の同じ４ビットサイズを維持するために、９つの新しいエントリが追加されてもよい。そのようなＣＱＩ設計の一例が表２に示されている。表２は、アクション３０１に従って無線ノード１０１により構成され得る、拡張カバレッジのための４ビットＣＱＩテーブルを示す。複数のＣＱＩ値は、いくつかの実施形態では、表２におけるＣＱＩインデックスのセット全体として理解されてもよく、又は、他の実施形態では、表２内の新たなエントリであるエントリ１〜９として理解されてもよい。この具体的な例において、データ送信の反復回数についての第１の標識は、表１の代わりに表２を使用するように無線ノード１０１がワイヤレスデバイス１２０へ送るシグナリングとして理解されてよい。
【００９８】
表２−１は、図２に示されている方法に関して、ＣＱＩインデックスを順序付ける代替方法を伴う、拡張カバレッジのための４ビットＣＱＩ表の一例を示す。表２−１について以下で説明する。複数のＣＱＩ値は、いくつかの実施形態では、表２−１におけるＣＱＩインデックスのセット全体として理解されてもよく、又は、他の実施形態では、表２内の新たなエントリであるエントリ７〜１５として理解されてもよい。
【００９９】
この方法を使用すると、ワイヤレスデバイス１２０が通常カバレッジにあるか拡張カバレッジにあるかをアクション４０２において指し示すために１つの構成パラメータｌｃｏｖｅｒａｇｅのみを必要とし得る。そして、例えば、アクション３０３において説明したように無線ノード１０１が構成される複数のＣＱＩ値を適応させることで、ワイヤレスデバイス１２０及び無線ノード１０１は対応する形でＣＱＩ定義を使用し得る。
【０１００】
したがって、いくつかの実施形態では、アクション３０２において説明した第２の標識は、ｌｃｏｖｅｒａｇｅであってよい。ｌｃｏｖｅｒａｇｅを使用する一例は以下の通りであってよい。
【０１０１】
・  ｌｃｏｖｅｒａｇｅ＝「通常」のとき、ＣＱＩは、アクション４０２においてワイヤレスデバイス１２０により報告され、アクション３０３において表１に従って無線ノード１０１により解釈される。
【０１０２】
・  ｌｃｏｖｅｒａｇｅ＝「拡張」のとき、ＣＱＩは、アクション４０２においてワイヤレスデバイス１２０により報告され、アクション３０３において表２に従って無線ノード１０１により解釈される。
【０１０３】
この方法の利点は、ＣＱＩ定義を従前と同様に使用し得ること、すなわち、ＣＱＩテーブルをインデックス付けするために４ビットが使用され得ることである。ｌｃｏｖｅｒａｇｅ以外の追加のシグナリングは不要であり得る。ｌｃｏｖｅｒａｇｅは、ＣＱＩのみをサポートするために定義されるとは限らないことに留意されたい。そうではなく、ｌｃｏｖｅｒａｇｅは、ＤＬ及びＵＬ動作の多くの態様に影響を及ぼし得る高いレベルの構成パラメータであってよい。したがって、ｌｃｏｖｅｒａｇｅをＣＱＩの目的のためのオーバーヘッドであると見なさなくてもよい。
【０１０４】
但し、上記方法は、広レンジのチャネル条件にわたる比較的粗い分解能という不利を有するかもしれない。これは、時間的にまばらに利用可能な反復回数になることがあり、表３に示されている連続的に利用可能な反復回数とは対照的である。表３は、拡張カバレッジのための１〜９という新たなＣＱＩインデックスに対応するＰＤＳＣＨの反復回数（反復回数）を示している。表３は、ＰＤＳＣＨが、周波数領域では６つのＰＲＢ上にマッピングされ、時間領域では反復のために複数のサブフレーム上にマッピングされる、という前提で作られており、但し、トランスポートブロック（ＴＢ）ビット数Ｋ∈｛１５２，３２８，５０４，１０００｝である。複数のＣＱＩ値は、いくつかの実施形態では、表３におけるＣＱＩインデックスのセット全体として理解されてもよく、又は、他の実施形態では、表３内の新たなエントリであるＣＱＩインデックス１〜９として理解されてもよい。
【０１０５】
所与の測定時間では、ＣＱＩテーブルのレンジ全体にわたってチャネル品質推定において同じ精度を達成することが困難であるかもしれない。かなり劣悪なチャネル品質に対応する、かなり低い動作点において良い精度で、すなわち、かなり低い信号対雑音比でチャネル品質を推定することの困難さを考慮すると、より低いＣＱＩ値を比較的粗い分解能のスペクトル効率で表すことで十分であろう。ＣＱＩテーブルの粒度がＣＱＩテーブルの片側端においてより粗くされる場合、ＣＱＩテーブルの他端において粒度がより精細になされてもよい。
【０１０６】
例示的な方法２
例示的な方法２では、アクション３０２において構成されるＣＱＩ定義が、４ビット、すなわち１６エントリを超えて拡張され得る。これは、時間的により密な回数の反復を提供するのに役立ち、ここでの反復回数は間隔がより詰まったスペクトル効率値に対応し得る。これは、５ビット、すなわち３２エントリの拡張カバレッジのための表４におけるＣＱＩ定義で示されている。この場合、拡張カバレッジにおいて、ワイヤレスデバイス１２０といったＵＥにチャネル条件標識を提供するために、アクション３０１の構成により、２５個の新しいＣＱＩエントリが追加され得る。複数のＣＱＩ値は、いくつかの実施形態では、表４におけるＣＱＩインデックスのセット全体として理解されてもよく、又は、他の実施形態では、表４における新たなエントリであるエントリ１〜２５として理解されてもよい。このようにして、チャネル条件のより精細な粒度が指し示され得る。
【０１０７】
５ビットのＣＱＩテーブルが直接的に使用されてもよいが、ＣＱＩエントリのために５ビットを可能とするようにＣＱＩ報告が拡大され得る場合、広範囲にわたってＵＬ  ＣＳＩ報告フォーマットを変更する必要性に起因して、これは困難であるかもしれない。
【０１０８】
代わりに、アクション３０３において、５ビットＣＱＩテーブルのどのサブセクションを使用し得るかを半静的な方法で指し示すために、別個の信号が使用されてもよい。例えば、１ビットのＩＣＱＩがアクション３０２において受信される第２の標識として定義されてもよい。ｌｃｏｖｅｒａｇｅに加えてＩＣＱＩが定義されてもよく、ＩＣＱＩがｌｃｏｖｅｒａｇｅ＝「拡張」である場合にのみ使用されてもよいことに留意されたい。
【０１０９】
１つの例において、アクション３０３に従って、無線ノード１０１は、より劣悪なカバレッジでは、ワイヤレスデバイス１２０といったワイヤレスデバイスのためにＩＣＱＩ＝０を構成し、より良好なカバレッジでは、ワイヤレスデバイスのためにＩＣＱＩ＝１を構成してもよい。より劣悪なカバレッジは、前に説明したしきい値を下回るチャネル品質として理解されてよく、上記しきい値は、例えば、事業者によって定義されてよい。より良好なカバレッジは、しきい値を上回るチャネル品質として理解されてよい。
【０１１０】
ＩＣＱＩ＝０である場合、アクション３０３に従って、５ビットＣＱＩテーブルの低効率側の１６個のエントリが採用され得る。すなわち、ＣＱＩインデックスは、表４のＣＱＩインデックス０〜１５からなる１６エントリの導出されるテーブルを使用して解釈され得る。
【０１１１】
ＩＣＱＩ＝１である場合、アクション３０３に従って、５ビットＣＱＩテーブルの高効率側の１６個のエントリが採用され得る。すなわち、ＣＱＩインデックスは、表４のＣＱＩインデックス｛０，１７〜３１｝からなる１６エントリの導出されるテーブルを使用して解釈され得る。
【０１１２】
他の派生形が可能であり得る。例えば、２ビットのＩＣＱＩが定義されてもよい。無線ノード１０１、例えばｅＮＢは、アクション３０３に従って、一端においてより劣悪なカバレッジ内のＵＥのためにＩＣＱＩ＝０を構成し、他端においてより良好なカバレッジ内のＵＥのためにＩＣＱＩ＝３を構成し得る。ＩＣＱＩ∈｛０，１，２，３｝に対応する導出されるＣＱＩテーブルは重なり合ってもよい。
【０１１３】
ＩＣＱＩ＝０である場合、アクション３０３に従って、５ビットＣＱＩテーブルの低効率側の１６個のエントリが採用され得る。すなわち、ＣＱＩインデックスは、表４のＣＱＩインデックス０〜１５からなる１６エントリの導出されるテーブルを使用して解釈され得る。
【０１１４】
ＩＣＱＩ＝１である場合、ＣＱＩインデックスは、アクション３０３に従って、表４のＣＱＩインデックス｛０，６〜２０｝からなる１６エントリの導出されるテーブルを使用して解釈され得る。
【０１１５】
ＩＣＱＩ＝２である場合、ＣＱＩインデックスは、アクション３０３に従って、表４のＣＱＩインデックス｛０，１２〜２６｝からなる１６エントリの導出されるテーブルを使用して解釈され得る。
【０１１６】
ＩＣＱＩ＝３である場合、アクション３０３に従って、５ビットＣＱＩテーブルの高効率側の１６個のエントリが採用され得る。すなわち、ＣＱＩインデックスは、表４のＣＱＩインデックス｛０，１７〜３１｝からなる１６エントリの導出されるテーブルを使用して解釈され得る。
【０１１７】
ある範囲の要因を考慮して、ＩＣＱＩインジケータが割り当てられてもよい。
【０１１８】
ある観点において、ＣＱＩの有効なレンジ、すなわちワイヤレスデバイス１２０がＣＱＩ報告を導出するために使用し得る複数のＣＱＩ値は、システム帯域幅に依存してもよい。これは、ワイヤレスデバイス１２０が、システム帯域幅にかかわらず、ＤＬ上で６つの物理リソースブロック（ＰＲＢ）を受信可能であり得るからである。所与のｅＮＢ送信電力レベル、例えば４６デシベルミリワット（ｄＢｍ）では、システム帯域幅が広いかもしれない場合、比例して、６つのＰＲＢに割り当てられるＤＬ送信電力の量はより小さいことが予期され得る。このケースでは、より低いスペクトル効率のＣＱＩ定義が適切であり得る。
【０１１９】
別の観点において、無線ノード１０１とワイヤレスデバイス１２０との間のチャネル条件が、アクション３０２において前に説明したように、ＩＣＱＩインジケータを決定するために使用されてもよい。より劣悪なチャネル条件におけるＵＥは、より低いスペクトル効率を有するＣＱＩ定義とマッチングされてよい。したがって、一例として上記の１ビットＩＣＱＩを使用すると、アクション３０３において、ＲＳＲＰ／リファレンス信号受信品質（ＲＳＲＱ）が特定のしきい値、例えば、上記で説明したしきい値を下回るとき、ＩＣＱＩ＝０が構成されてよく、ＲＳＲＰ／ＲＳＲＱが特定のしきい値を上回るとき、ＩＣＱＩ＝１が構成されてよい。
【０１２０】
別の観点において、ワイヤレスデバイス１２０のケイパビリティ、ＵＥケイパビリティが、前に説明したように、アクション３０３に従って考慮に入れられてもよい。
【０１２１】
例示的なハイブリッド方法
例示的な方法１と例示的な方法２との組合せも想起され得る。
【０１２２】
例えば、第２の標識の一例である、構成パラメータｌｃｏｖｅｒａｇｅは、いくつかの値を取り得る。２つの値（ｌｃｏｖｅｒａｇｅ＝「通常」及びｌｃｏｖｅｒａｇｅ＝「拡張」）の代わりに、ｌｃｏｖｅｒａｇｅは、様々なカバレッジ拡張レベル、例えば、ｌｃｏｖｅｒａｇｅ＝「通常」、ｌｃｏｖｅｒａｇｅ＝「やや拡張」、及びｌｃｏｖｅｒａｇ
ｅ＝「かなり拡張」、及びｌｃｏｖｅｒａｇｅ＝「極端に拡張」（又は、代替的に、ｌｃｏｖｅｒａｇｅ＝｛０，１，２，３｝）に対応するいくつかのＣＱＩテーブルの中から１つを指し示すように構成されてよい。いくつかのＣＱＩテーブルのうちの１つは、アクション３０３から生じる適応後の複数のＣＱＩ値の一例である。
【０１２３】
このようにして、例示的な方法２の高い粒度が、例示的な方法１の低いオーバーヘッドと共に達成され得る。チャネル品質が、その時点で構成されているＣＱＩテーブルのレンジ外に逸脱する場合、ワイヤレスデバイス１２０は、それほど迅速には別のＣＱＩテーブルに切り替わることができないかもしれない。
【０１２４】
ＭＴＣ  ＵＥのためのＣＱＩ定義テーブルの例
ここで説明する方法において使用され得るＣＱＩ定義テーブルの例が以下で提供される。構成される複数のＣＱＩ値は、以下で説明する表のいずれかであり得るか、或いはそれは、データ送信の反復回数に関係する、以下で説明する表のいずれかのＣＱＩ値の選択された集合であり得る。
【０１２５】
第一に、４ビットＣＱＩ定義テーブルの設計が、表２、表２−１、表３及び表４の例において提供されており、それらは例示的な方法１において使用され得る。第二に、５ビットのＣＱＩ定義テーブルの設計が、表５及び表６の例で提供されており、それらは例示的な方法２とともに使用され得る。
【０１２６】
拡張カバレッジのための４ビットＣＱＩ定義
前に説明したように、いくつかの実施形態におけるワイヤレスデバイス１２０などの拡張カバレッジで動作するＵＥについて、既存の方法のＣＱＩテーブルの高次の変調法（１６ＱＡＭ及び６４ＱＡＭ）のエントリ（例えば、表１）はもはや有用ではない。１６−ＱＡＭ及び６４−ＱＡＭ変調法に対応する、７〜１５のＣＱＩインデックスは、表１から削除されてもよい。複数のＣＱＩ値の一例である、よりスペクトル効率の低いＱＰＳＫのエントリの新しいセットが、アクション３０１において追加されてもよい。
【０１２７】
新たなＣＱＩインデックス＝１が、表１におけるＣＱＩインデックス１のスペクトル効率の１／６４と等価なスペクトル効率を有すると仮定して、拡張カバレッジのためのＣＱＩテーブルが導出され、表２に示され得る。
【０１２８】
図５において、表２のスペクトル効率が表１のスペクトル効率とともにプロットされている。図５は、ここでの実施形態に係る、４ビットＣＱＩテーブルにおいて定義されているスペクトル効率のグラフィック表現であり、表１を使用する通常カバレッジについては丸印を伴うライン、表２を使用する拡張カバレッジについては×印を伴うラインである。無線ノード１０１に報告すべき４ビットのＣＱＩ値は、１６個のあり得るＣＱＩ値のうちの１つを提供し得る。通常カバレッジモードでは、ＣＱＩ値のセットは、拡張カバレッジのためのＣＱＩ値のセットのスペクトル効率よりも高いスペクトル効率を有する。図示されているように、拡張カバレッジを経験しているＵＥでは、より効率の高い値についての表１におけるエントリ、例えば表１のＣＱＩインデックス７〜１５は拡張カバレッジの文脈においてＣＱＩを報告するのに有用でないので、拡張カバレッジのためのＣＱＩ値のセットがより有用である。
【０１２９】
明確さのために、図６は、表２の最低のスペクトル効率側の複数のエントリを示すように、図５の一部分においてズームされている。図６は、ここでの実施形態に係る、拡張カバレッジのための新しい４ビットＣＱＩテーブルにおいて定義されている低スペクトル効率側のエントリのグラフィック表現である。図示されているように、これらの新たに追加されるＣＱＩ値はかなり低いスペクトル効率を有してもよく、したがって、スペクトル効率がかなり低い場合に、拡張カバレッジの文脈において、より低い識別可能なスペクトル効率値と、ＣＱＩを報告するためのより高い粒度とを提供する。
【０１３０】
表３では、時間的な反復回数がＫ∈｛１５２，３２８，５０４，１０００｝について示されており、但しＫはＴＢサイズである。この表において、１０というＣＱＩインデックスが表１における１というＣＱＩインデックスに対応する。前提条件は、サブフレーム内のＤＬ送信のための６つのＰＲＢ、制御領域のための３つのＯＦＤＭシンボル、及び１つのアンテナポート、である。これらＫの値は、スペクトル効率に対応するＰＤＳＣＨ反復のセットを示すための一例として使用され得る。
【０１３１】
2019080319.tif 000004
【０１３２】
2019080319.tif 000005
【０１３３】
2019080319.tif 000006
【０１３４】
表５は、例えばワイヤレスデバイス１２０の特徴を所与として、所望の反復回数が｛１，２０，４０，８０，１００｝である場合の、拡張カバレッジのために使用すべきＣＱＩインデックスを指し示す４ビットＣＱＩテーブルの別の例を示している。表４についての前提条件は、ＴＢビット数Ｋ∈｛１５２，３２８，５０４，１０００｝とともに、６つのＰＲＢである。表５において、Ｋ∈｛１５２，３２８，５０４，１０００｝であり、対象とする反復回数が｛１，２０，４０，８０｝であるものとして、選択すべきＣＱＩインデックスが「使用すべきＣＱＩインデックス列」に示されている。表５において、列「コードビット数」は、トランスポートブロックのために生成されるコードビット数を指し示す。列「ＴＢビット数」列は、トランスポートブロック内のビット数を指し示す。データ送信の反復回数は列「反復回数」に指し示される。ここで、反復１回は、１回だけの送信が行われること、すなわち、時間的に反復されないことを意味する。エントリごとに、前に説明したように、反復なし（ｗ／ｏ）、及び反復あり（ｗ／）の、効率性が示されている。これは、変調法と、符号化レートと、反復回数とに対応するスペクトル効率を指し示す。この例では、複数のＣＱＩ値は、いくつかの実施形態では、表５におけるＣＱＩインデックスのセット全体として理解されてよい。
【０１３５】
例えば、変調法やコードレートというＣＱＩエントリが、表２に示されているもの以外の手法で順序付けられてよいことに留意されたい。表２−１には、例えば、変調法やコードレートというＣＱＩエントリを一覧化するための代替的な手法が示されており、低いコードレートのエントリが、より高いコードレートのＣＱＩエントリの後に一覧化されている。ＣＱＩエントリを順序付けるための他の方法も可能であり得る。効率性は、例えば、変調法やコードレートの導出値であり、したがって、効率性の順序付けは、例えば、変調法やコードレートの順序に従うことに留意されたい。ＣＱＩエントリの異なる順序付けを示すために４ビットのＣＱＩテーブルが使用されているが、同じ原理が５ビットのＣＱＩテーブルに適用されてもよい。
【０１３６】
拡張カバレッジのための５ビットＣＱＩ定義  新たなＣＱＩインデックス＝１が、表１におけるＣＱＩインデックス０のスペクトル効率の１／６４と等価なスペクトル効率を有するものとして、拡張カバレッジのための５ビットＣＱＩテーブルが導出され、例示的な方法２において前に説明した表４に示されている。表４は表２と等価であり、但しそれは５ビットテーブルである。
【０１３７】
図７において、表４のスペクトル効率が表１のスペクトル効率とともにプロットされている。図７は、ここでの実施形態に係る、５ビットのＣＱＩテーブルにおいて定義されているスペクトル効率のグラフィック表現であり、通常カバレッジについては丸印を伴うライン、拡張カバレッジについては×を伴うラインである。拡張カバレッジのために使用されるスペクトル効率は、拡張カバレッジのスペクトル効率よりもはるかに低くなり得る。図示されているように、拡張カバレッジを経験しているＵＥについて、より高い効率の値についての表１におけるエントリ、例えば、表１のＣＱＩインデックス７〜１５は拡張カバレッジの文脈においてＣＱＩを報告するのに有用でないので、拡張カバレッジのためのＣＱＩ値のセットがより有用である。
【０１３８】
明確さのために、図８は、表４の最低のスペクトル効率側の複数のエントリを示すために、図７においてズームされている。図８は、ここでの実施形態に係る、拡張カバレッジのための新しい５ビットのＣＱＩテーブルにおいて定義されている低スペクトル効率側のエントリのグラフィック表現である。図示されているように、密に定義されるスペクトル効率値が５ビットのＣＱＩ設計によって提供されることに留意されたい。
【０１３９】
表６は、ここでの実施形態に係る、拡張カバレッジのための１〜２５という新たなＣＱＩインデックスに対応する反復回数を示す、５ビットのＣＱＩテーブルの別の例を示している。表６において、時間的な反復回数がＫ∈｛１５２，３２８，５０４，１０００｝について示されており、但しＫはビットでのＴＢサイズである。この表において、２６というＣＱＩインデックスが表１における１というＣＱＩインデックスに対応する。前提条件は、サブフレーム内のＤＬ送信のための６つのＰＲＢ、制御領域のための３つのＯＦＤＭシンボル、及び１つのアンテナポート、である。表６は表３と等価であり、但しそれは５ビットのテーブルである。
【０１４０】
2019080319.tif 000007
【０１４１】
2019080319.tif 000008
【０１４２】
いくつかの実施形態では、複数のＣＱＩ値が、表６における３２個のＣＱＩインデックスのセット全体として理解されてもよく、又は、他の実施形態では、表６内の新たなエントリであるエントリ１〜２５として理解されてもよい。
【０１４３】
ここでの実施形態は、ワイヤレスデバイス１２０の一例としての狭帯域ＭＴＣ  ＵＥが、より広いシステム帯域幅でレガシーＬＴＥシステムにおいて動作すること、及びＰＤＳＣＨを反復する可能性に適合するレンジでＣＱＩを報告できることとを可能にするという利点を提供し、その反復回数は１から数十、又は数百、或いは数千にわたり得る。例えば、システム帯域幅は２０ＭＨｚ、すなわち１００個のＰＲＢであり得る一方、ワイヤレスデバイス１２０は、高々６つのＰＲＢ上でのみ送信及び受信を行いし得る。これは、ＵＥの低コストな実装を可能とするための特徴である。
【０１４４】
上記の方法を実行するように構成される無線ノード１０１がここで提供される。図９は、複数のＣＱＩ値を構成するように構成される無線ノード１０１を開示している。すでに述べたように、無線ノード１０１及びワイヤレスデバイス１２０は、ワイヤレス通信ネットワーク１００において動作するように構成される。
【０１４５】
以下のいくつかについての詳細な説明は、無線ノード１０１について説明したアクションに関連して、上記で提供された同じ参照に対応し、したがって、ここでは繰り返さない。
【０１４６】
無線ノード１０１は、構成モジュール９０１及び／又はプロセッサ９０６を備え得る。無線ノード１０１、構成モジュール９０１及び／又はプロセッサ９０６は、複数のＣＱＩ値を構成するように構成されてよく、複数のＣＱＩ値の各々は、データ送信の反復回数についての第１の標識に関連付けて構成される。すなわち、複数のＣＱＩ値のうちの各ＣＱＩ値は、データ送信がワイヤレスデバイス１０１へ向けて反復的に送信されるか、又は送信される必要があるという、第１の標識に関連付けられ得る。
【０１４７】
いくつかの実施形態では、無線ノード１０１は、複数のＣＱＩ値で、ワイヤレス通信ネットワーク１００において動作するように構成されるワイヤレスデバイス１２０を構成するように構成され得る。
【０１４８】
2019080319.tif 000009
【０１４９】
いくつかの実施形態では、構成される複数のＣＱＩ値は、すべてがＱＰＳＫ変調法に関連付けて構成され得る１６個の値を含んでもよい。他の実施形態では、構成される複数のＣＱＩ値は、すべてがＱＰＳＫ変調法に関連付けて構成され得る３２個の値を含んでもよい。構成は、無線ノード１０１から送られる信号又はワイヤレスデバイス１２０から送られる信号に従って実行されてもよい。
【０１５０】
ＣＱＩ値は、第１の標識の一例である、スペクトル効率の標識に関連付けて構成されてもよく、スペクトル効率の標識は、時間的な複数の無線リソースにわたる情報の反復に基づいて算出される。第１の標識はデータ送信の反復回数を指し示すことができ、いくつかの実施形態では、データ送信の反復回数についての第１の標識は、データ送信の反復回数のセットを提供し得る。
【０１５１】
無線ノード１０１は、受信モジュール９０２を備え得る。無線ノード１０１、受信モジュール９０２、及び／又はプロセッサ９０６は、カバレッジに関連するワイヤレスデバイス１２０の動作条件についての標識、例えば、第２の標識をワイヤレスデバイス１２０から受信するように構成され得る。
【０１５２】
いくつかの実施形態において、構成される複数のＣＱＩ値のうちのある値に従ってワイヤレスデバイス１２０から受信されるＣＱＩ値は、１つ以上のＤＬ又はスペシャルサブフレームによって定義されるように構成され得る時間領域内のＣＳＩリファレンスリソースに基づいてもよい。無線ノード１０１、受信モジュール９０２、及び／又はプロセッサ９０６は、ワイヤレスデバイス１２０からＣＱＩ値を受信する、ように構成されてもよい。
【０１５３】
いくつかの実施形態において、ＣＳＩリファレンスリソースは、ｎｒｅｐ個のＤＬ又はスペシャルサブフレームのセットにより定義されるようにさらに構成されてもよく、その最後のサブフレームはサブフレームｎ−ｎＣＱＩ＿ｒｅｆであり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する反復回数である。
【０１５４】
無線ノード１０１は、適応モジュール９０３を備え得る。無線ノード１０１、適応モジュール９０３、及び／又はプロセッサ９０６は、ワイヤレスデバイス１２０から受信される第２の標識に従って、構成される複数のＣＱＩ値を適応させるか、又は複数のＣＱＩ値のうちの一部を選択する、ように構成され得る。
【０１５５】
動作条件は、通常カバレッジ及び拡張カバレッジのうちの一方に関連し得る。
【０１５６】
いくつかの実施形態において、動作条件は、チャネル品質値に関連してもよい。複数のＣＱＩ値は、ＣＱＩ値の複数のセットを含んでもよく、無線ノード１０１、適応モジュール９０３、及び／又はプロセッサ９０６は、構成される複数のＱＣＩ値を適応させる、ように構成され得る。
【０１５７】
無線ノード１０１は、標識モジュール９０４を備え得る。無線ノード１０１、標識モジュール９０４、及び／又はプロセッサ９０６は、適応後の複数のＣＱＩ値をワイヤレスデバイス１２０に指し示す、ように構成され得る。
【０１５８】
指し示すことは、ＣＱＩ値の複数のセットのうちの１つのセットを使用するようにワイヤレスデバイス１２０を構成すること、を含んでもよい。ＣＱＩ値の複数のセットのうちの１つのセットがチャネル品質値に基づいて選択されるように構成されてもよい。すなわち、無線ノード１０１、標識モジュール９０４、及び／又はプロセッサ９０６は、ＣＱＩ値の複数のセットのうちの１つのセットを使用するようにワイヤレスデバイス１２０を構成することにより、構成される複数のＱＣＩ値を指し示すように構成されてもよく、ＣＱＩ値の複数のセットのうちの１つのセットがチャネル品質値に基づいて選択される。ＣＱＩ値の複数のセットは重なり合ってもよい。
【０１５９】
いくつかの実施形態において、動作条件は、しきい値を下回るチャネル品質及びしきい値を上回るチャネル品質のうちの一方に関連してもよい。無線ノード１０１、標識モジュール９０４、及び／又はプロセッサ９０６は、動作条件が、しきい値を下回るチャネル品質という動作条件である場合には複数のＣＱＩ値のうちの第１のセットを使用するようにワイヤレスデバイス１２０を構成し、動作条件が、しきい値を上回るチャネル品質という動作条件である場合には複数のＣＱＩ値のうちの第２のセットを使用するようにワイヤレスデバイス１２０を構成することにより、構成される複数のＱＣＩ値を適応させるように構成されてもよい。チャネル品質は、値のセットのうちの１つの値であってよい。
【０１６０】
無線ノード１０１は、他のモジュール群９０５をも備えてよい。
【０１６１】
ここでの実施形態は、ここでの実施形態の機能及びアクションを実行するためのコンピュータプログラムコードとともに、図９に示されている無線ノード１０１内のプロセッサ９０６といった、１つ以上のプロセッサを通じて実装されてよい。また、上述のプログラムコードは、例えば、無線ノード１０１にロードされた場合にここでの実施形態を実行するためのコンピュータプログラムコードを搬送するデータキャリアの形態の、コンピュータプログラムプロダクトとして提供されてもよい。１つのそのようなキャリアはＣＤ  ＲＯＭディスクの形態であってよい。しかしながら、それは、メモリスティックといった他のデータキャリアで実現可能である。さらに、コンピュータプログラムコードは、サーバ上に純粋なプログラムコードとして提供され、無線ノード１０１へダウンロードされてもよい。
【０１６２】
さらに、無線ノード１０１は、１つ以上のメモリユニットを含むメモリ９０７を備え得る。メモリ９０７は、無線ノード１０１において実行された場合にここでの方法を実行するための、取得される情報、記憶データ、構成、スケジューリング、及びアプリケーションなどを記憶するために使用されるように配置される。
【０１６３】
いくつかの実施形態では、無線ノード１０１は、受信ポート９０８を通じてワイヤレスデバイス１２０から情報を受信し得る。いくつかの実施形態では、受信ポート９０８は、例えば、無線ノード１０１における２つ以上のアンテナに接続されてもよい。他の実施形態では、無線ノード１０１は、受信ポート９０８を通じてワイヤレス通信ネットワーク１００内の別の構造から情報を受信してもよい。受信ポート９０８は、プロセッサ９０６と通信関係にあり得ることから、受信ポート９０８は、さらに受信される情報をプロセッサ９０６へ送出してもよい。受信ポート９０８は、他の情報を受信するように構成されてもよい。
【０１６４】
さらに、無線ノード１０１内のプロセッサ９０６は、プロセッサ９０６及びメモリ９０７と通信関係にあり得る送信ポート９０９を通じて、情報を、例えば、ワイヤレスデバイス１２０へ送信するか又は送るように構成され得る。
【０１６５】
また、上記で説明したモジュール群は、プロセッサ９０６といった１つ以上のプロセッサにより実行された場合に上述したように稼動する、例えば、メモリに記憶された、ソフトウェア及び／又はファームウェアで構成される、アナログ及びデジタルモジュール、並びに／或いは１つ以上のプロセッサの組合せを指し得ることを、当業者は了解されよう。これらのプロセッサ、並びに他のデジタルハードウェアのうちの１つ以上は、単一の特定用途向け集積回路（ＡＳＩＣ）内に含まれてもよく、或いは、いくつかのプロセッサ及び様々なデジタルハードウェアは、個々にパッケージ化されるか又はシステムオンチップ（ＳｏＣ）内にアセンブルされるかにかかわらず、いくつかの別個の構成要素の間で分散されてもよい。
【０１６６】
また、いくつかの実施形態では、上記で説明した様々なモジュールは、プロセッサ９０６といった１つ以上のプロセッサ上で動作する１つ以上のアプリケーションとして実装されてもよい。
【０１６７】
したがって、無線ノード１０１についてここで説明した実施形態に係る方法は、少なくとも１つのプロセッサ上で実行された場合に無線ノード１０１によって実行される、ここで説明したアクションをその少なくとも１つのプロセッサに遂行させる命令、すなわち、ソフトウェアコード部分を含む、コンピュータプログラムプロダクトによってそれぞれ実装されてもよい。コンピュータプログラムプロダクトはコンピュータ読取可能な記憶媒体上に記憶され得る。コンピュータプログラムが記憶されたコンピュータ読取可能な記憶媒体は、少なくとも１つのプロセッサ上で実行された場合に無線ノード１０１により実行される、ここで説明したアクションをその少なくとも１つのプロセッサに遂行させる命令を含み得る。いくつかの実施形態では、コンピュータ読取可能な記憶媒体は、ＣＤ  ＲＯＭディスク、又はメモリスティックといった、非一時的なコンピュータ読取可能な記憶媒体であってよい。他の実施形態では、コンピュータプログラムプロダクトは、ちょうど説明したコンピュータプログラムを含んでいるキャリア上に記憶されてよく、ここで、キャリアは、電子信号、光信号、無線信号、又は上記で説明したコンピュータ読取可能な記憶媒体のうちの１つである。
【０１６８】
ここでの実施形態を実行するために、ワイヤレスデバイス１２０が提供される。図１０は、無線ノード１０１から構成データを受信するように構成されるワイヤレスデバイス１２０を示すブロック図を示している。すなわち、無線ノード１０１からワイヤレスデバイス１２０を構成するためである。無線ノード１０１及びワイヤレスデバイス１２０は、ワイヤレス通信ネットワーク１００において動作するように構成される。
【０１６９】
ワイヤレスデバイス１２０は、受信モジュール１００１及び／又はプロセッサ１００４を備え得る。ワイヤレスデバイス１２０、受信モジュール１００１及び／又はプロセッサ１００４は、無線ノード１０１から構成データを受信するように構成されてよく、上記構成データは、ワイヤレスデバイス１２０において、複数のＣＱＩ値についての構成を指し示すように構成される。複数のＣＱＩ値のうちの各ＣＱＩ値は、データ送信の反復回数についての第１の標識に関連付けられ得る。すなわち、複数のＣＱＩ値のうちの各ＣＱＩ値は、データ送信がワイヤレスデバイス１２０へ向けて反復的に送信されるか、又は送信される必要があるという、第１の標識に関連付けられ得る。例えば複数のＣＱＩ値のうちの各ＣＱＩ値は、スペクトル効率の標識に関連付けて構成されてもよい。スペクトル効率の標識は、時間的な複数の無線リソースにわたる情報の反復、又はワイヤレスデバイス１２０にＤＬデータを反復して送信する必要性に基づいて算出されてもよい。
【０１７０】
データ送信の反復回数についての第１の標識は、データ送信の反復回数のセットを提供するか、又はそれを含むように構成されてもよい。すなわち、第１の標識はデータ送信の反復回数を指し示してもよい。
【０１７１】
いくつかの実施形態では、構成される複数のＣＱＩ値は、すべてがＱＰＳＫ変調法に関連付けて構成され得る１６個の値を含んでもよい。他の実施形態では、構成される複数のＣＱＩ値は、すべてがＱＰＳＫ変調法に関連付けて構成され得る３２個の値を含んでもよい。
【０１７２】
ワイヤレスデバイス１２０、受信モジュール１００１及び／又はプロセッサ１００４は、適応後の複数のＣＱＩ値の標識である第３の標識を無線ノード１０１から受信する、ように構成されてもよい。適応後の複数のＣＱＩ値は、ワイヤレスデバイス１２０の動作条件に従って適応される複数のＣＱＩ値であってもよい。
【０１７３】
いくつかの実施形態では、動作条件はチャネル品質値に関連してもよい。例えば、動作条件は、セットの値のうちの１つの値のチャネル品質に関連してもよい。複数のＣＱＩ値は、ＣＱＩ値の複数のセットを含んでもよい。無線ノード１０１からの第３の標識は、ＣＱＩ値の複数のセットのうちの１つのセットを使用することを指し示してもよい。ＣＱＩ値の複数のセットのうちの１つのセットは、チャネル品質値に基づいて選択される、ように構成されてもよい。ＣＱＩ値の複数のセットは重なり合ってもよい。
【０１７４】
いくつかの実施形態では、動作条件は、しきい値を下回るチャネル品質及びしきい値を上回るチャネル品質のうちの一方であってもよい。ワイヤレスデバイス１２０、受信モジュール１００１及び／又はプロセッサ１００４は、動作条件がしきい値を下回るチャネル品質という動作条件である場合には複数のＣＱＩ値のうちの第１のセットを使用することと、動作条件がしきい値を上回るチャネル品質という動作条件である場合には複数のＣＱＩ値のうちの第２のセットを使用することと、のための標識を無線ノードから受信するように構成されてもよく、複数のＣＱＩ値は、ＣＱＩ値の複数のセットを含んでもよい。
【０１７５】
ワイヤレスデバイス１２０は、送信モジュール１００２を備え得る。ワイヤレスデバイス１２０、送信モジュール１００２及び／又はプロセッサ１００４は、カバレッジに関連するワイヤレスデバイス１２０の動作条件についての標識である第２の標識を無線ノード１０１へ送信する、ように構成されてもよい。動作条件は、通常カバレッジ及び拡張カバレッジのうちの一方に関連してもよい。
【０１７６】
いくつかの実施形態では、ワイヤレスデバイス１２０、送信モジュール１００２及び／又はプロセッサ１００４はさらに、構成される複数のＣＱＩ値のうちのある値に従って無線ノード１０１へＣＱＩ値を送信する、ように構成されてもよい。ＣＱＩ値は、１つ以上のＤＬ又はスペシャルサブフレームにより定義されるように構成される時間領域内のＣＳＩリファレンスリソースに基づいて送信される、ように構成されてもよい。
【０１７７】
ＣＳＩリファレンスは、ｎｒｅｐ個のＤＬ又はスペシャルサブフレームのセットにより定義されるようにさらに構成されてもよく、その最後のサブフレームはサブフレームｎ−ｎＣＱＩ＿ｒｅｆであり、サブフレームｎはＣＳＩレポーティングのサブフレームインデックスであり、ｎＣＱＩ＿ｒｅｆはＣＳＩレポーティングモードに依存し、ｎｒｅｐはＣＱＩ値に対応する反復回数である。
【０１７８】
さらに、ワイヤレスデバイス１２０は、他の機能のための他のモジュール群１００３を備えてもよい。
【０１７９】
ここでの実施形態は、ここでの実施形態の機能及びアクションを実行するためのコンピュータプログラムコードとともに、図１０に示されているワイヤレスデバイス１２０内のプロセッサ１００４といった、１つ以上のプロセッサを通じて実装されてもよい。また、上述のプログラムコードは、例えば、ワイヤレスデバイス１２０にロードされた場合にここでの実施形態を実行するためのコンピュータプログラムコードを搬送するデータキャリアの形態の、コンピュータプログラムプロダクトとして提供されてもよい。１つのそのようなキャリアはＣＤ  ＲＯＭディスクの形態であってよい。しかしながら、それは、メモリスティックといった他のデータキャリアで実現可能である。さらに、コンピュータプログラムコードは、サーバ上に純粋なプログラムコードとして提供され、ワイヤレスデバイス１２０へダウンロードされてもよい。
【０１８０】
さらに、ワイヤレスデバイス１２０は、１つ以上のメモリユニットを含むメモリ１００５を備え得る。メモリ１００５は、ワイヤレスデバイス１２０において実行された場合にここでの方法を実行するための、取得される情報、記憶データ、構成、スケジューリング、及びアプリケーションなどを記憶するために使用されるように配置される。
【０１８１】
いくつかの実施形態では、ワイヤレスデバイス１２０は、受信ポート１００６を通じて無線ノード１０１から情報を受信し得る。いくつかの実施形態では、受信ポート１００６は、例えば、ワイヤレスデバイス１２０における２つ以上のアンテナに接続されてもよい。他の実施形態では、ワイヤレスデバイス１２０は、受信ポート１００６を通じてワイヤレス通信ネットワーク１００内の別の構造から情報を受信してもよい。受信ポート１００６はプロセッサ１００４と通信関係にあり得ることから、受信ポート１００６は、さらに、受信される情報をプロセッサ１００４へ送出してもよい。また、受信ポート１００６は、他の情報を受信するように構成されてもよい。
【０１８２】
さらに、ワイヤレスデバイス１２０内のプロセッサ１００４は、プロセッサ１００４及びメモリ１００５と通信関係にあり得る送信ポート１００７を通じて、情報を、例えば、ワイヤレスデバイス１２０へ送信するか又は送るように構成されてもよい。
【０１８３】
また、上記で説明したモジュールは、プロセッサ１００４といった１つ以上のプロセッサにより実行された場合に上述したように稼動する、例えば、メモリに記憶された、ソフトウェア及び／又はファームウェアで構成される、アナログ及びデジタルモジュール、並びに／或いは１つ以上のプロセッサの組合せを指し得ることを、当業者は了解されよう。これらのプロセッサ、並びに他のデジタルハードウェアのうちの１つ以上は、単一の特定用途向け集積回路（ＡＳＩＣ）内に含まれてもよく、或いは、いくつかのプロセッサ及び様々なデジタルハードウェアは、個々にパッケージ化されるか又はシステムオンチップ（ＳｏＣ）中にアセンブルされるかにかかわらず、いくつかの別個の構成要素の間で分散されてもよい。
【０１８４】
また、いくつかの実施形態では、上記で説明した様々なモジュールは、プロセッサ１００４といった１つ以上のプロセッサ上で動作する１つ以上のアプリケーションとして実装されてもよい。
【０１８５】
したがって、ワイヤレスデバイス１２０についてここで説明した実施形態に係る方法は、少なくとも１つのプロセッサ上で実行された場合にワイヤレスデバイス１２０によって実行される、ここで説明したアクションをその少なくとも１つのプロセッサに遂行させる命令、すなわち、ソフトウェアコード部分を含む、コンピュータプログラムプロダクトによってそれぞれ実装されてよい。コンピュータプログラムプロダクトはコンピュータ読取可能な記憶媒体上に記憶され得る。コンピュータプログラムが記憶されたコンピュータ読取可能な記憶媒体は、少なくとも１つのプロセッサ上で実行された場合にワイヤレスデバイス１２０により実行される、ここで説明したアクションをその少なくとも１つのプロセッサに遂行させる命令を含み得る。いくつかの実施形態では、コンピュータ読取可能な記憶媒体は、ＣＤ  ＲＯＭディスク、又はメモリスティックといった、非一時的なコンピュータ読取可能な記憶媒体であってよい。他の実施形態では、コンピュータプログラムプロダクトは、ちょうど説明したコンピュータプログラムを含んでいるキャリア上に記憶されてよく、ここで、キャリアは、電子信号、光信号、無線信号、又は上記で説明したコンピュータ読取可能な記憶媒体のうちの１つである。
【０１８６】
「備える／含む（comprise）」又は「備えている／含んでいる（comprising）」という単語を使用するとき、それは、非限定的なものとして、すなわち、「から少なくともなる」を意味するように解釈されるものとする。
【０１８７】
ここでの実施形態は、上記で説明した好ましい実施形態に限定されない。様々な代替手段、修正例及び均等物が使用されてよい。したがって、上記の実施形態は、本発明の範囲を限定するものとして取られるべきではない。実施形態は、開示される特定の例に限定されるものではないことと、修正例及び他の派生は本開示の範囲内に含まれることが意図されることとを理解されたい。本明細書において具体的な用語が採用されているかもしれないが、それらの用語は、限定のためではなく、汎用的及び説明的な意味のみにおいて使用されている。
【０１８８】
本明細書での実施形態に関連する例
図１１は、ワイヤレスデバイス１２０を構成するための、無線ノード１０１において実行され得る方法を開示する概略的なフローチャートである。無線ノード１０１及びワイヤレスデバイス１２０は、ワイヤレス通信ネットワーク１００において動作している。
【０１８９】
アクション１１０１。無線ノード１０１は、複数のＣＱＩ値でワイヤレスデバイス１２０を構成し、複数のＣＱＩ値のうちの各ＣＱＩ値は、データ送信がワイヤレスデバイス１２０へ向けて反復的に送信されるという第１の標識に関連付けられる。反復的な送信とは、例えば、時間的な複数のサブフレームにわたる反復を意味し得る。構成される複数のＣＱＩ値は、すべてがＱＰＳＫ変調法に関連付けて構成される１６個の値を含んでもよい。構成される複数のＣＱＩ値は、すべてがＱＰＳＫ変調法に関連付けて構成される３２個の値を含んでもよい。構成は、無線ノード１０１から送られる信号又はワイヤレスデバイス１２０から送られる信号に従って実行されてもよい。
【０１９０】
ＣＱＩ値は、第１の標識の一例である、スペクトル効率の標識に関連付けて構成されてもよく、スペクトル効率の標識は、時間的な複数の無線リソースにわたる情報の反復、例えば、時間的な複数のサブフレームにわたる反復に基づいて算出される。第１の標識は、データ送信の反復回数を指し示してもよく、データ送信の反復回数のセットを含む。
【０１９１】
ＣＱＩ値は、無線ノード１０１が、報告されたＣＱＩ値をどのように解釈すべきかを知得し得るように、無線ノード１０１にも知らされてもよい。
【０１９２】
アクション１１０２。無線ノード１０１は、カバレッジに関連するワイヤレスデバイス１２０の動作条件についての標識をワイヤレスデバイス１２０から受信する。
【０１９３】
アクション１１０３。無線ノード１０１は、次いで、ワイヤレスデバイス１２０からの受信される標識に従って、構成される複数のＣＱＩ値を適応させるか、又は複数のＣＱＩ値のうちの一部を選択し得る。動作条件は、通常カバレッジ及び拡張カバレッジのうちの一方に関連してもよい。動作条件は、しきい値を下回るチャネル品質及びしきい値を上回るチャネル品質のうちの一方に関連してもよい。無線ノード１０１は、次いで、構成される複数のＱＣＩ値を適応させ、動作条件がしきい値を下回るチャネル品質という動作条件である場合には複数のＣＱＩ値のうちの第１のセットを使用するようにワイヤレスデバイス１２０を構成し、動作条件がしきい値を上回るチャネル品質という動作条件である場合には複数のＣＱＩ値のうちの第２のセットを使用するようにワイヤレスデバイス１２０を構成してもよい。チャネル品質は、値のセットのうちの１つの値であってもよい。複数のＣＱＩ値は、ＣＱＩ値の複数のセットを含んでもよく、無線ノード１０１は、その場合、構成される複数のＱＣＩ値を適応させ、ＣＱＩ値の複数のセットのうちの１つのセットを使用するようにワイヤレスデバイス１２０を構成することができ、ＣＱＩ値の複数のセットのうちの１つのセットはチャネル品質値に基づいて選択される。ＣＱＩ値の複数のセットは重なり合ってもよい。ワイヤレスデバイス１２０の構成は、以下のアクション１１０４を通じて実行されると理解されてよい。
【０１９４】
アクション１１０４。無線ノード１０１は、適応後の複数のＣＱＩ値をワイヤレスデバイス１２０に指し示し得る。
【０１９５】
無線ノード１０１は、さらに、構成される複数のＣＱＩ値のうちのある値であるＣＱＩ値をワイヤレスデバイス１２０から受信し得る。
【０１９６】
別の態様によれば、上記目的は、無線ノードからワイヤレスデバイスを構成するための、ワイヤレスデバイスにより実行される方法を提供することによって達成される。図１２は、無線ノード１０１からワイヤレスデバイス１２０を構成するための、ワイヤレスデバイス１２０により実行され得る方法を示す概略的なフローチャートである。無線ノード１０１及びワイヤレスデバイス１２０は、ワイヤレス通信ネットワークにおいて動作している。
【０１９７】
アクション１２０１。ワイヤレスデバイス１２０は、無線ノード１０１から構成データを受信し、上記構成データは、ワイヤレスデバイス１２０において複数のＣＱＩ値についての構成を指し示す。複数のＣＱＩ値のうちの各ＣＱＩ値は、データ送信がワイヤレスデバイス１２０へ向けて反復的に送信されるという、第１の標識に関連付けられる。複数のＣＱＩ値のうちの各ＣＱＩ値は、スペクトル効率の標識に関連付けて構成されてもよく、スペクトル効率の標識は、時間的な複数の無線リソースにわたる情報の反復に基づいて算出され得る。
【０１９８】
アクション１２０２。ワイヤレスデバイス１２０は、カバレッジに関連するワイヤレスデバイス１２０の動作条件についての標識を無線ノード１０１へ送信し得る。動作条件は、通常カバレッジ及び拡張カバレッジのうちの一方であり得る。例えば、構成パラメータｌｃｏｖｅｒａｇｅはいくつかの値を取り得る。２つの値（ｌｃｏｖｅｒａｇｅ＝「通常」及びｌｃｏｖｅｒａｇｅ＝「拡張」）の代わりに、ｌｃｏｖｅｒａｇｅは、様々なカバレッジ拡張レベル、ｌｃｏｖｅｒａｇｅ＝「通常」、ｌｃｏｖｅｒａｇｅ＝「やや拡張」、ｌｃｏｖｅｒａｇｅ＝「かなり拡張」、及びｌｃｏｖｅｒａｇｅ＝「極端に拡張」（又は、代替的に、ｌｃｏｖｅｒａｇｅ＝｛０，１，２，３｝）に対応するいくつかのＣＱＩテーブルのうちの１つを指し示すように構成されてもよい。
【０１９９】
アクション１２０３。ワイヤレスデバイス１２０は、次いで、適応後の複数のＣＱＩ値の標識を無線ノード１０１から受信し得る。動作条件は、しきい値を下回るチャネル品質及びしきい値を上回るチャネル品質のうちの一方であってよい。そして、ワイヤレスデバイス１２０は、動作条件がしきい値を下回るチャネル品質という動作条件である場合には複数のＣＱＩ値のうちの第１のセットを使用することと、動作条件がしきい値を上回るチャネル品質という動作条件である場合には複数のＣＱＩ値のうちの第２のセットを使用することと、のための標識を無線ノード１０１から受信してもよい。動作条件は、値のセットのうちの１つの値のチャネル品質に関連してもよく、ここで、複数のＣＱＩ値は、ＣＱＩ値の複数のセットを含む。すると、ワイヤレスデバイス１２０は、ＣＱＩ値の複数のセットのうちの１つのセットを使用するための標識を無線ノード１０１から受信することができ、ＣＱＩ値の複数のセットのうちの１つのセットは、チャネル品質値に基づいて選択されている。ＣＱＩ値の複数のセットは重なり合ってもよい。
【０２００】
第１の標識は、データ送信の反復回数を指し示してもよく、データ送信の反復回数のセットを含んでもよい。
【０２０１】
構成される複数のＣＱＩ値は、すべてがＱＰＳＫ変調法に関連付けて構成される１６個の値を含んでもよい。構成される複数のＣＱＩ値は、すべてがＱＰＳＫ変調法に関連付けて構成される３２個の値を含んでもよい。
【０２０２】
ワイヤレスデバイス１２０は、構成される複数のＣＱＩ値のうちのある値に従って無線ノード１０１へＣＱＩ値を送信してもよい。
【０２０３】
さらに、ワイヤレスデバイス及び無線ノードは、本明細書で開示した方法を実行するように提供されてもよい。
【図１】
2019080319.tif 000010
【図２】
2019080319.tif 000011
【図３】
2019080319.tif 000012
【図４】
2019080319.tif 000013
【図５】
2019080319.tif 000014
【図６】
2019080319.tif 000015
【図７】
2019080319.tif 000016
【図８】
2019080319.tif 000017
【図９】
2019080319.tif 000018
【図１０】
2019080319.tif 000019
【図１１】
2019080319.tif 000020
【図１２】
2019080319.tif 000021
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
複数のチャネル品質情報（ＣＱＩ）値を構成するための、無線ノード（１０１）により実行される方法であって、前記無線ノード（１０１）は、ワイヤレス通信ネットワーク（１００）において動作し、前記方法は、
前記複数のＣＱＩ値を構成すること（３０１）と、前記複数のＣＱＩ値の各々はデータ送信の反復回数についての第１の標識に関連付けて構成されることと、
を含む方法。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて動作する無線ノードにより実行される方法であって、
ワイヤレスデバイスの複数のチャネル品質情報（ＣＱＩ）値を構成することであって、前記複数のＣＱＩ値はデータ送信の反復回数の第１の標識に関連付けて構成されることと、
前記構成された複数のＣＱＩ値に従って前記ワイヤレスデバイスからＣＱＩ値を受信することと、を含む方法であって、
前記受信されたＣＱＩ値は時間領域におけるチャネル状態情報（ＣＳＩ）リファレンスリソースに基づき、前記ＣＳＩリファレンスリソースはダウンリンク又はスペシャルサブフレームのセットにより定義され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存する、方法。
【請求項２】
請求項１に記載の方法であって、さらに、
カバレッジに関連する前記ワイヤレスデバイスの動作条件についての第２の標識を前記ワイヤレスデバイスから受信することと、
前記ワイヤレスデバイスから前記受信された第２の標識に従って前記構成された複数のＣＱＩ値を適応することと、を含む方法。
【請求項３】
請求項２に記載の方法であって、さらに、
前記適応された複数のＣＱＩ値を前記ワイヤレスデバイスへ示すことを含む方法。
【請求項４】
前記動作条件はＣＱＩ値に関連する、請求項２又は３に記載の方法。
【請求項５】
ワイヤレス通信ネットワークにおいて動作するワイヤレスデバイスにより実行される方法であって、
無線ノードから複数のチャネル品質情報（ＣＱＩ）値に対する構成を示す構成データを受信することであって、前記複数のＣＱＩ値はデータ送信の反復回数の第１の標識に関連付けて構成されることと、
前記無線ノードへ、前記構成された複数のＣＱＩ値に従ってＣＱＩ値を送信することと、を含む方法であって、
前記送信されたＣＱＩ値は時間領域におけるチャネル状態情報（ＣＳＩ）リファレンスリソースに基づき、前記ＣＳＩリファレンスリソースはダウンリンク又はスペシャルサブフレームのセットにより定義され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存する、方法。
【請求項６】
請求項５に記載の方法であって、さらに、
前記無線ノードへカバレッジに関連する前記ワイヤレスデバイスの動作条件についての第２の標識を送信することを含む方法。
【請求項７】
請求項６に記載の方法であって、さらに、
前記無線ノードから適応された複数のＣＱＩ値の第３の標識を受信することであって、前記適応された複数のＣＱＩ値は前記ワイヤレスデバイスの前記動作条件に従って適応された前記複数のＣＱＩ値である、請求項６に記載の方法。
【請求項８】
前記動作条件はＣＱＩ値に関連する、請求項６又は７に記載の方法。
【請求項９】
ワイヤレス通信ネットワークにおいて動作するように構成された無線ノードであって、前記無線ノードはさらに、
ワイヤレスデバイスの複数のチャネル品質情報（ＣＱＩ）値を構成することであって、前記複数のＣＱＩ値はデータ送信の反復回数の第１の標識に関連付けて構成される、構成することと、
前記構成された複数のＣＱＩ値に従って前記ワイヤレスデバイスからＣＱＩ値を受信することと、を実行するように構成されており、
前記受信されたＣＱＩ値は時間領域におけるチャネル状態情報（ＣＳＩ）リファレンスリソースに基づき、前記ＣＳＩリファレンスリソースはダウンリンク又はスペシャルサブフレームのセットにより定義され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存する、無線ノード。
【請求項１０】
請求項９に記載の無線ノードであって、さらに、
カバレッジに関連する前記ワイヤレスデバイスの動作条件についての第２の標識を前記ワイヤレスデバイスから受信し、
前記ワイヤレスデバイスから前記受信された第２の標識に従って前記構成された複数のＣＱＩ値を適応するように構成された無線ノード。
【請求項１１】
請求項１０に記載の無線ノードであって、さらに、
前記適応された複数のＣＱＩ値を前記ワイヤレスデバイスへ示すように構成された無線ノード。
【請求項１２】
前記動作条件はＣＱＩ値に関連する、請求項１０又は１１に記載の無線ノード。
【請求項１３】
ワイヤレス通信ネットワークにおいて動作するように構成されたワイヤレスデバイスであって、前記ワイヤレスデバイスはさらに、
無線ノードから複数のチャネル品質情報（ＣＱＩ）値に対する構成を示す構成データを受信し、前記複数のＣＱＩ値はデータ送信の反復回数の第１の標識に関連付けて構成され、
前記無線ノードへ、前記構成された複数のＣＱＩ値に従ってＣＱＩ値を送信するように構成され、
前記送信されたＣＱＩ値は時間領域におけるチャネル状態情報（ＣＳＩ）リファレンスリソースに基づき、前記ＣＳＩリファレンスリソースはダウンリンク又はスペシャルサブフレームのセットにより定義され、その最後のサブフレームはサブフレーム（ｎ−ｎＣＱＩ＿ｒｅｆ）であり、サブフレームｎはＣＳＩレポーティングのサブフレームインデックスであり、ｎＣＱＩ＿ｒｅｆはＣＳＩレポーティングモードに依存する、ワイヤレスデバイス。
【請求項１４】
請求項１３に記載のワイヤレスデバイスであって、さらに、カバレッジに関連する前記ワイヤレスデバイスの動作条件についての第２の標識を前記無線ノードへ送信するように構成されるワイヤレスデバイス。
【請求項１５】
請求項１４に記載のワイヤレスデバイスであって、さらに、
前記無線ノードから適応された複数のＣＱＩ値の第３の標識を受信するように構成され、前記適応された複数のＣＱＩ値は前記ワイヤレスデバイスの前記動作条件に従って適応された前記複数のＣＱＩ値である、ワイヤレスデバイス。
【請求項１６】
前記動作条件はＣＱＩ値に関連する、請求項１４又は１５に記載のワイヤレスデバイス。
【手続補正２】
【補正対象書類名】明細書
【補正対象項目名】０１４８
【補正方法】変更
【補正の内容】
【０１４８】
2019080319.tif 000022
【外国語明細書】
2019080319000001.pdf